(57)【特許請求の範囲】
【請求項１】
ワイヤレス送受信ユニット（ＷＴＲＵ）において実行され、マルチキャリアアップリンク送信用の制御情報を提供する方法であって、
複数のアップリンク搬送波のそれぞれの上で、拡張個別チャネル（Ｅ−ＤＣＨ）送信のためにハッピービットを設定するステップであって、合計Ｅ−ＤＣＨバッファステータス（ＴＥＢＳ）が、各搬送波におけるアクティブプロセスの、プロセスの総数に対する比を考慮して、現在のサービンググラントを用いて送信されるために、Ｈａｐｐｙ＿Ｂｉｔ＿Ｄｅｌａｙ＿Ｃｏｎｄｉｔｉｏｎ  ｍｓよりも多くを必要とするかどうかに少なくとも部分的に基づいて、前記複数のアップリンク搬送波のそれぞれについて前記ハッピービットが“アンハッピー”に設定され、前記ハッピービットと同じＴＴＩ中にデータを送信するために前記複数のアップリンク搬送波上でのＥ−ＴＦＣ選択において選択された電力オフセットと同じ電力オフセットに基づいて前記ハッピービットが“アンハッピー”に設定される、ステップと、
前記複数のアップリンク搬送波のそれぞれについて前記ハッピービットを送信するステップと
を含む、方法。
【請求項２】
前記ＴＥＢＳが前記複数のアップリンク搬送波にわたって集計された現在の実行データレートで送信される事前構成された時間期間よりも多くを必要とするかどうかに少なくとも部分的に基づいて、前記ハッピービットが設定され、前記複数のアップリンク搬送波にわたって集計された前記現在の実行データレートは、それらそれぞれのアップリンク搬送波に関する前記実行データレートを合計することによって計算される、請求項１に記載の方法。
【請求項３】
対応するアップリンク搬送波についての前記現在の実行データレートは、前記ハッピービットと同じ送信時間間隔（ＴＴＩ）中にデータを送信するための前記対応するアップリンク搬送波上のＥ−ＤＣＨトランスポートフォーマット組み合わせ（Ｅ−ＴＦＣ）選択において選択されたものと同じパワーオフセットに基づいて計算される、請求項２に記載の方法。
【請求項４】
前記対応するアップリンク搬送波についての前記現在の実行データレートは、前記現在のサービンググラントと、前記対応するアップリンク搬送波上のプロセスの総数に対するアクティブプロセスの比と、を乗算したものに対応する、請求項３に記載の方法。
【請求項５】
マルチキャリアアップリンク送信用の制御情報を提供するワイヤレス送受信ユニット（ＷＴＲＵ）であって、
複数のアップリンク搬送波のそれぞれの上で、拡張個別チャネル（Ｅ−ＤＣＨ）送信のためにハッピービットを設定し、合計Ｅ−ＤＣＨバッファステータス（ＴＥＢＳ）が、各搬送波におけるアクティブプロセスの、プロセスの総数に対する比を考慮して、現在のサービンググラントを用いて送信されるために、Ｈａｐｐｙ＿Ｂｉｔ＿Ｄｅｌａｙ＿Ｃｏｎｄｉｔｉｏｎ  ｍｓよりも多くを必要とするかどうかに少なくとも部分的に基づいて、前記複数のアップリンク搬送波のそれぞれについて前記ハッピービットが“アンハッピー”に設定され、前記ハッピービットと同じＴＴＩ中にデータを送信するために前記複数のアップリンク搬送波上でのＥ−ＴＦＣ選択において選択された電力オフセットと同じ電力オフセットに基づいて前記ハッピービットが“アンハッピー”に設定され、
前記複数のアップリンク搬送波のそれぞれについて前記ハッピービットを送信する
ように構成されたプロセッサを備えるＷＴＲＵ。
【請求項６】
前記ＴＥＢＳが前記複数のアップリンク搬送波にわたって集計された現在の実行データレートで送信される事前構成された時間期間よりも多くを必要とするかどうかに少なくとも部分的に基づいて、前記ハッピービットが“アンハッピー”に設定され、前記プロセッサは、前記複数のアップリンク搬送波にわたって集計された前記現在の実行データレートを、それらそれぞれのアップリンク搬送波に関する前記実行データレートを合計することによって計算するように構成された、請求項５に記載のＷＴＲＵ。
【請求項７】
前記プロセッサは、対応するアップリンク搬送波についての前記現在の実行データレートを、前記ハッピービットと同じ送信時間間隔（ＴＴＩ）中にデータを送信するための前記対応するアップリンク搬送波上のＥ−ＤＣＨトランスポートフォーマット組み合わせ（Ｅ−ＴＦＣ）選択において選択されたものと同じパワーオフセットに基づいて計算するように構成された、請求項６に記載のＷＴＲＵ。
【請求項８】
前記対応するアップリンク搬送波についての前記現在の実行データレートは、前記現在のサービンググラントと、前記対応するアップリンク搬送波上のプロセスの総数に対するアクティブプロセスの比と、を乗算したものに対応する、請求項７に記載のＷＴＲＵ。
【発明の詳細な説明】
【技術分野】
【０００１】
本出願は、ワイヤレス通信に関する。
【０００２】
（関連出願の相互参照）
本出願は、本明細書で完全に説明されたかのように参照によって組み込まれる、２００８年１０月３１日に出願された米国特許仮出願第６１／１０９，９７８号明細書、２００８年１１月２４日に出願された米国特許仮出願第６１／１１７，４９４号明細書、２００８年１１月２５日に出願された米国特許仮出願第６１／１１７，８５１号明細書、２００８年１２月３０日に出願された米国特許仮出願第６１／１４１，６３８号明細書、および２００９年１月３０日に出願された米国特許仮出願第６１／１４８，６９０号明細書の優先権を主張する。
【背景技術】
【０００３】
エンドユーザにとって利用可能なデータレートを高めるため、ＵＭＴＳ（ユニバーサル移動体通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ））ワイヤレス通信システムに、多くの改良が導入された。３ＧＰＰ（第３世代パートナシッププロジェクト）のリリース５における、ダウンリンクのためのＨＳＤＰＡ（高速ダウンリンクパケットアクセス（ｈｉｇｈ  ｓｐｅｅｄ  ｄｏｗｎｌｉｎｋ  ｐａｃｋｅｔ  ａｃｃｅｓｓ））の導入に続いて、アップリンク性能を改善するために、３ＧＰＰのリリース６の一部として、ＨＳＵＰＡ（高速アップリンクパケットアクセス（ｈｉｇｈ  ｓｐｅｅｄ  ｕｐｌｉｎｋ  ｐａｃｋｅｔ  ａｃｃｅｓｓ））が導入された。ＨＳＵＰＡは、新しいＥ−ＤＣＨ（拡張個別チャネル（ｅｎｈａｎｃｅｄ  ｄｅｄｉｃａｔｅｄ  ｃｈａｎｎｅｌ））上でのアップリンクスループットおよびピークデータレートを改善するために、短いＴＴＩ（送信時間間隔（ｔｒａｎｓｍｉｓｓｉｏｎ  ｔｉｍｅ  ｉｎｔｅｒｖａｌ））および高速スケジューリングと組み合わせて、ＨＡＲＱ（ハイブリッド自動再送要求（ｈｙｂｒｉｄ  ａｕｔｏｍａｔｉｃ  ｒｅｐｅａｔ  ｒｅｑｕｅｓｔ））を使用する。
【０００４】
ＷＣＤＭＡ（広帯域符号分割多重アクセス（ｗｉｄｅｂａｎｄ  ｃｏｄｅ  ｄｉｖｉｓｉｏｎ  ｍｕｌｔｉｐｌｅ  ａｃｃｅｓｓ））（登録商標）は、干渉制限されたシステムであるので、すべてのＷＴＲＵ（ワイヤレス送受信ユニット）のアップリンク送信電力の厳格な制御が重要である。これは、電力制御およびグラント（ｇｒａｎｔ）メカニズムの組合せによって達成される。Ｅ−ＤＣＨ送信のためのグラントは、Ｅ−ＤＣＨ上で送信を行うためにＷＴＲＵが使用できる最大電力比である。グラントは、トランスポートブロックサイズに直接的に変換される。これに関連して、グラントは、アップリンク上で干渉を生み出す権利として解釈することができる。ＨＳＵＰＡでは、ネットワークは、各ＷＴＲＵに個別にグラントを伝達する。ネットワークによって伝達されるグラントには、絶対グラント（ａｂｓｏｌｕｔｅ  ｇｒａｎｔ）および相対グラント（ｒｅｌａｔｉｖｅ  ｇｒａｎｔ）という２つのタイプが存在する。絶対グラントは、サービングＥ−ＤＣＨセルによってＥ−ＡＧＣＨ（Ｅ−ＤＣＨ絶対グラントチャネル（Ｅ−ＤＣＨ  ａｂｓｏｌｕｔｅ  ｇｒａｎｔ  ｃｈａｎｎｅｌ））を介して送信され、グラントテーブルに対するインデックスを伝える。相対グラントは、Ｅ−ＤＣＨアクティブセット内の任意のセルによって、Ｅ−ＲＧＣＨ（Ｅ−ＤＣＨ相対グラントチャネル（Ｅ−ＤＣＨ  ｒｅｌａｔｉｖｅ  ｇｒａｎｔ  ｃｈａｎｎｅｌ））を介して送信することができる。ＷＴＲＵは、与えられたＴＴＩ中にどれだけのデータを送信できるかを決定するためにＷＴＲＵが使用する、サービンググラント（ｓｅｒｖｉｎｇ  ｇｒａｎｔ）を維持する。このサービンググラントは、Ｅ−ＡＧＣＨまたはＥ−ＲＧＣＨを介して新しいグラントコマンドが受信されるたびに更新される。
【０００５】
グラントメカニズムに加えて、ＨＳＵＰＡは、送信されたデータが正しく復号された場合はいつでも、非サービングＥ−ＤＣＨセルが、Ｅ−ＨＩＣＨ（Ｅ−ＤＣＨ  ＨＡＲＱインジケータチャネル（Ｅ−ＤＣＨ  ＨＡＲＱ  ｉｎｄｉｃａｔｏｒ  ｃｈａｎｎｅｌ））を介して、ＨＡＲＱ  ＡＣＫ（肯定応答）をＷＴＲＵに送信できるようにすることによって、マクロダイバーシティ（ｍａｃｒｏ−ｄｉｖｅｒｓｉｔｙ）も利用する。サービングＥ−ＤＣＨセル（および同じＲＬＳ（無線リンクセット（ｒａｄｉｏ  ｌｉｎｋ  ｓｅｔ））内の非サービングＥ−ＤＣＨセル）は、ＨＡＲＱ送信を受信するたびに、Ｅ−ＨＩＣＨを介して、ＡＣＫまたはＮＡＣＫ（否定応答）を送信する。
【０００６】
ＨＳＵＰＡに特有のダウンリンク制御チャネルは、Ｅ−ＡＧＣＨ、Ｅ−ＲＧＣＨ、およびＥ−ＨＩＣＨを含む。システムの適切な動作のため、ダウンリンクにおいてＦ−ＤＰＣＨ（フラクショナル個別物理チャネル（ｆｒａｃｔｉｏｎａｌ  ｄｅｄｉｃａｔｅｄ  ｐｈｙｓｉｃａｌ  ｃｈａｎｎｅｌ））を、アップリンクにおいてＤＰＣＣＨ（個別物理制御チャネル（ｄｅｄｉｃａｔｅｄ  ｐｈｙｓｉｃａｌ  ｃｏｎｔｒｏｌ  ｃｈａｎｎｅｌ））を使用する、電力制御ループが確立される。
【０００７】
データネットワークへ連続的でより高速なアクセスを提供することに対するますます大きくなる要望に応えるため、データの送信のために複数の搬送波を使用することが可能なマルチキャリアシステムが提案された。複数の搬送波の使用は、セルラおよび非セルラワイヤレスシステムの両方において拡大している。マルチキャリアシステムは、利用可能な搬送波の数を乗じただけ、ワイヤレス通信システムで利用可能な帯域幅を増加させることができる。例えば、技術の発展の一環として、ＤＣ−ＨＳＤＰＡ（デュアルセルＨＳＤＰＡ（ｄｕａｌ−ｃｅｌｌ  ＨＳＤＰＡ））と呼ばれる新機能が、３ＧＰＰのリリース８仕様書において導入された。ＤＣ−ＨＳＤＰＡを用いた場合、ノードＢは、同時に２つの異なるダウンリンク搬送波を介して、ＷＴＲＵと通信する。これは、ＷＴＲＵにとって利用可能な帯域幅およびピークデータレートを２倍にするばかりでなく、２つの搬送波を介した高速スケジューリングおよび高速チャネルフィードバックを用いて、ネットワーク効率を高める可能性も有する。
【０００８】
ＤＣ−ＨＳＤＰＡは、ワイヤレス通信システムにおいて、ダウンリンクのスループットおよび効率を著しく高める。ＤＣ−ＨＳＤＰＡの導入はさらに、スループットおよびピークデータレートに関して、アップリンクとダウンリンクとの間の非対称性を大きくする。しかし、アップリンクについては、何の提案もなされていない。したがって、アップリンク送信におけるピークデータレートおよび送信効率を高めるために複数のアップリンク搬送波を利用するための方法を提供するのが望ましい。
【発明の概要】
【０００９】
複数のアップリンク搬送波を使用するワイヤレス送信のための方法および装置が開示される。ＷＴＲＵは、プライマリアップリンク搬送波を介して、データチャネル、パイロットチャネル、およびプライマリアップリンク搬送波上でのアップリンク送信のための制御チャネル、ならびに任意選択的に、ダウンリンク送信に関連するアップリンクフィードバック情報を提供するための制御チャネルを送信することができ、セカンダリアップリンク搬送波を介して、データチャネルおよびパイロットチャネルを送信することができる。あるいは、ＷＴＲＵは、プライマリアップリンク搬送波を介して、データチャネル、パイロットチャネル、およびプライマリアップリンク搬送波上でのアップリンク送信のための制御チャネル、ならびに任意選択的に、ダウンリンク送信に関連するアップリンクフィードバック情報を提供するための制御チャネルを送信することができ、セカンダリアップリンク搬送波を介して、データチャネル、パイロットチャネル、およびセカンダリアップリンク搬送波上でのアップリンク送信のための制御チャネルを送信することができる。
【００１０】
ＷＴＲＵが、ダウンリンク搬送波上で受信した制御情報を、ＷＴＲＵがその制御情報を受信したダウンリンク搬送波に関連付けられたアップリンク搬送波上でのアップリンク送信に適用するように、各アップリンク搬送波は、少なくとも１つの特定のダウンリンク搬送波に関連付けることができる。少なくとも１つのＥ−ＲＮＴＩ（無線ネットワーク一時識別情報（ｒａｄｉｏ  ｎｅｔｗｏｒｋ  ｔｅｍｐｏｒａｒｙ  ｉｄｅｎｔｉｔｙ））を、アップリンク搬送波毎に設定することができ、ＷＴＲＵは、受信した絶対グラントを、関連するアップリンク搬送波上でのアップリンクデータ送信（例えばＥ−ＤＣＨ）に適用することができる。アップリンクグラント情報を運ぶ少なくとも１つのダウンリンク制御チャネル（例えばＥ−ＡＧＣＨ）を、各アップリンク搬送波に関連付けることができ、ＷＴＲＵは、受信した絶対グラントを、絶対グラントが受信される、アップリンクグラント情報を搬送するダウンリンク制御チャネルに関連付けられた、アップリンク搬送波上でのアップリンク送信に適用することができる。相対アップリンクグラント情報を搬送するダウンリンク制御チャネル（例えばＥ−ＲＧＣＨ）とＨＡＲＱフィードバック情報を搬送するダウンリンク制御チャネル（例えばＥ−ＨＩＣＨ）の１組を、各アップリンク搬送波に関連付けることができ、ＷＴＲＵは、受信した相対グラントおよびＨＡＲＱフィードバックを、関連するアップリンク搬送波上でのアップリンク送信に適用することができる。
【００１１】
ＷＴＲＵは、複数のＴＰＣ（送信電力制御（ｔｒａｎｓｍｉｔ  ｐｏｗｅｒ  ｃｏｎｔｒｏｌ））コマンドを受信し、対応するＴＰＣコマンドに基づいて、アップリンク搬送波における送信電力を調整することができる。アップリンク搬送波のためのＴＰＣコマンドは、そのアップリンク搬送波に関連付けられたダウンリンク搬送波を介して、受信することができる。
【図面の簡単な説明】
【００１２】
より詳細な理解は、添付の図面と併せて、例として与えられる、以下の説明から得ることができる。
【図１】ワイヤレス通信システムの一例を示す図である。
【図２】図１のワイヤレス通信システムのＷＴＲＵおよびノードＢの機能ブロック図である。
【図３】一実施形態による、ＷＴＲＵが２つのアップリンク搬送波をＵＴＲＡＮに送信する一例を示す図である。
【図４】別の実施形態による、ＷＴＲＵが２つのアップリンク搬送波をＵＴＲＡＮに送信する一例を示す図である。
【図５】２つのアップリンク搬送波が、２つのダウンリンク搬送波上でＷＴＲＵに送信されるＴＰＣ（送信電力制御（ｔｒａｎｓｍｉｔ  ｐｏｗｅｒ  ｃｏｎｔｒｏｌ））コマンドによって制御される機能ブロック図である。
【図６】２つのアップリンク搬送波が、単一のダウンリンク搬送波上でＷＴＲＵに送信されるＴＰＣ（送信電力制御）コマンドによって制御される機能ブロック図である。
【図７】２つのアップリンク搬送波が、単一のダウンリンク搬送波上でＷＴＲＵに送信されるＴＰＣ（送信電力制御）コマンドによって制御される機能ブロック図である。
【図８】一実施形態による、Ｆ−ＤＰＣＨスロットフォーマットの一例を示す図である。
【図９】複数アップリンク搬送波環境においてＴＰＣ（送信電力制御）コマンドがアップリンクで送信される機能ブロック図である。
【図１０】２つのアップリンク搬送波を利用する場合の、Ｅ−ＴＦＣ選択およびＭＡＣ−ｅまたはＭＡＣ−ｉ  ＰＤＵ生成のためのプロセスの一例のフロー図である。
【図１１】一実施形態による、スケジューリング情報フォーマットを示す図である。
【発明を実施するための形態】
【００１３】
これ以降で言及される場合、「ＷＴＲＵ」という用語は、限定することなく、ＵＥ（ユーザ機器）、移動局、固定もしくは移動加入者ユニット、ページャ、セルラ電話、ＰＤＡ（携帯情報端末）、コンピュータ、Ｍ２Ｍ（マシン対マシン（ｍａｃｈｉｎｅ−ｔｏ−ｍａｃｈｉｎｅ））デバイス、センサ、またはワイヤレス環境で動作可能な他の任意のタイプのデバイスを含む。これ以降で言及される場合、「ノードＢ」という用語は、限定することなく、基地局、サイトコントローラ、ＡＰ（アクセスポイント）、またはワイヤレス環境で動作可能な他の任意のタイプのインタフェースデバイスを含む。
【００１４】
ネットワークは、少なくとも１つのダウンリンク搬送波および／または少なくとも１つのアップリンク搬送波を、それぞれアンカーダウンリンク搬送波（ａｎｃｈｏｒ  ｄｏｗｎｌｉｎｋ  ｃａｒｒｉｅｒ）およびアンカーアップリンク搬送波（ａｎｃｈｏｒ  ｕｐｌｉｎｋ  ｃａｒｒｉｅｒ）として割り当てることができる。例えば、アンカー搬送波は、ダウンリンク／アップリンク送信のための特定の１組の制御情報を搬送するための搬送波として、定義することができる。アンカー搬送波は、動的に活動化および非活動化されなくてよい。アップリンクアンカー搬送波は、ダウンリンクアンカー搬送波に関連付けることができる。アンカー搬送波として割り当てられない搬送波はいずれも、補助搬送波（ｓｕｐｐｌｅｍｅｎｔａｒｙ  ｃａｒｒｉｅｒ）である。あるいは、ネットワークは、アンカー搬送波を割り当てなくてもよく、どのダウンリンク搬送波またはアップリンク搬送波にも、優先権、プリファレンス、またはデフォルトステータスを与えなくてよい。マルチキャリア動作の場合、２つ以上の補助搬送波または補助搬送波が存在することがある。これ以降、「アンカーアップリンク／ダウンリンク搬送波」と「プライマリアップリンク／ダウンリンク搬送波」という用語は、交換可能に使用され、「セカンダリアップリンク／ダウンリンク搬送波」と「補助アップリンク／ダウンリンク搬送波」という用語は、交換可能に使用される。
【００１５】
ユーザデータおよび制御情報を運ぶための、アップリンク搬送波についての様々なチャネル構造を含む、ＨＳＰＡシステムにおけるデータおよび制御情報の送信において、複数のアップリンク搬送波を利用するための実施形態が開示される。実施形態はデュアルアップリンク搬送波に関して説明されるが、本明細書で説明される実施形態は、多数のアップリンク搬送波にも同様に適用可能であることを理解されたい。実施形態は、ＷＣＤＭＡ（広帯域符号分割多重アクセス）に関連する制御チャネルおよびデータチャネルを参照して開示されるが、実施形態が、ＬＴＥ（ロングタームエボリューション（ｌｏｎｇ  ｔｅｒｍ  ｅｖｏｌｕｔｉｏｎ））およびＬＴＥアドバンスト（ＬＴＥ−Ａｄｖａｎｃｅｄ）など、現在存在するまたは将来開発される任意のワイヤレス通信技術に適用可能であることに留意されたい。本明細書で説明される実施形態は、任意の順序または組合せで適用可能とし得ることにも留意されたい。
【００１６】
図１は、複数のＷＴＲＵ  １１０と、ノードＢ  １２０と、ＣＲＮＣ（制御無線ネットワークコントローラ（ｃｏｎｔｒｏｌｌｉｎｇ  ｒａｄｉｏ  ｎｅｔｗｏｒｋ  ｃｏｎｔｒｏｌｌｅｒ））１３０と、ＳＲＮＣ（サービング無線ネットワークコントローラ（ｓｅｒｖｉｎｇ  ｒａｄｉｏ  ｎｅｔｗｏｒｋ  ｃｏｎｔｒｏｌｌｅｒ））１４０と、コアネットワーク１５０とを含む、ワイヤレス通信システム１００の一例を示している。ノードＢ  １２０およびＣＲＮＣ  １３０は、一括して、ＵＴＲＡＮと呼ばれることもある。
【００１７】
図１に示されるように、ＷＴＲＵ  １１０は、ノードＢ  １２０と通信し、ノードＢ  １２０は、ＣＲＮＣ  １３０およびＳＲＮＣ  １４０と通信する。図１には、３つのＷＴＲＵ  １１０、１つのノードＢ  １２０、１つのＣＲＮＣ  １３０、および１つのＳＲＮＣ  １４０が示されているが、無線および有線デバイスの任意の組合せがワイヤレス通信システム１００に含まれ得ることに留意されたい。
【００１８】
図２は、図１のワイヤレス通信システム１００のＷＴＲＵ  １１０およびノードＢ  １２０の機能ブロック図である。図１に示されるように、ＷＴＲＵ  １１０は、ノードＢ  １２０と通信し、どちらも、複数のアップリンク搬送波を用いてアップリンク送信を実行する方法を実行するように構成される。ＷＴＲＵ  １１０は、プロセッサ１１５と、受信機１１６と、送信１１７と、メモリ１１８と、アンテナ１１９と、典型的なＷＴＲＵに見出し得る他のコンポーネント（図示されず）とを含む。メモリ１１８は、オペレーティングシステム、アプリケーションなどを含む、ソフトウェアを保存するために提供される。プロセッサ１１５は、単独で、またはソフトウェアと連携して、複数のアップリンク搬送波を用いてアップリンク送信を実行する方法を実行するために提供される。受信機１１６および送信機１１７は、プロセッサ１１５と通信する。受信機１１６および／または送信機１１７は、複数の搬送波を介して受信および／または送信することが可能なことがある。あるいは、複数の受信機または複数の送信機が、ＷＴＲＵ  １１０に含まれてもよい。アンテナ１１９は、ワイヤレスデータの送信および受信を容易にするように、受信機１１６および送信機１１７の両方と通信する。
【００１９】
ノードＢ  １２０は、プロセッサ１２５と、受信機１２６と、送信機１２７と、メモリ１２８と、アンテナ１２９と、典型的な基地局に見出し得る他のコンポーネント（図示されず）とを含む。プロセッサ１２５は、単独で、またはソフトウェアと連携して、複数のアップリンク搬送波を用いてアップリンク送信を実行する方法を実行するために提供される。受信機１２６および送信機１２７は、プロセッサ１２５と通信する。受信機１２６および／または送信機１２７は、複数の搬送波を介して受信および／または送信することが可能なことがある。あるいは、複数の受信機または複数の送信機が、ノードＢ  １２０に含まれてもよい。アンテナ１２９は、ワイヤレスデータの送信および受信を容易にするように、受信機１２６および送信機１２７の両方と通信する。
【００２０】
一実施形態によれば、セカンダリアップリンク搬送波は、最低限の制御情報を有するまたは制御情報を有さないトラフィックデータを搬送する。図３は、ＷＴＲＵが２つのアップリンク搬送波をＵＴＲＡＮに送信する一例を示している。ＷＴＲＵは、アンカーアップリンク搬送波上で、データチャネル（例えばＥ−ＤＰＤＣＨ（Ｅ−ＤＣＨ個別物理データチャネル（Ｅ−ＤＣＨ  ｄｅｄｉｃａｔｅｄ  ｐｈｙｓｉｃａｌ  ｄａｔａ  ｃｈａｎｎｅｌ）））、パイロットおよび他の制御チャネル（例えば、ＤＰＣＣＨ、Ｅ−ＤＰＣＣＨ（Ｅ−ＤＣＨ個別物理制御チャネル（Ｅ−ＤＣＨ  ｄｅｄｉｃａｔｅｄ  ｐｈｙｓｉｃａｌ  ｃｏｎｔｒｏｌ  ｃｈａｎｎｅｌ））、ならびに／またはＨＳ−ＤＰＣＣＨ（ＨＳ−ＤＳＣＨ個別物理制御チャネル（ＨＳ−ＤＳＣＨ  ｄｅｄｉｃａｔｅｄ  ｐｈｙｓｉｃａｌ  ｃｏｎｔｒｏｌ  ｃｈａｎｎｅｌ）））を送信することができ、補助アップリンク搬送波上で、データチャネル（例えばＥ−ＤＰＤＣＨ）およびパイロットチャネルを送信することができる。
【００２１】
アンカーアップリンク搬送波は、ＵＴＲＡＮに送信されるアップリンク制御シグナリングのすべてまたはほとんどを搬送することができ、アップリンク制御シグナリングは、限定することなく、（１）ＣＱＩ（チャネル品質情報（ｃｈａｎｎｅｌ  ｑｕａｌｉｔｙ  ｉｎｆｏｒｍａｔｉｏｎ））、ＰＣＩ（プリコーディング制御指示（ｐｒｅｃｏｄｉｎｇ  ｃｏｎｔｒｏｌ  ｉｎｄｉｃａｔｉｏｎ））、ＡＣＫ／ＮＡＣＫ  ＨＡＲＱ情報を含む、（ＨＳ−ＤＰＤＣＨなどの）ダウンリンクチャネルのためのフィードバック、（２）アップリンクパイロットシンボル、ＦＢＩ（フィードバック情報（ｆｅｅｄｂａｃｋ  ｉｎｆｏｒｍａｔｉｏｎ））、およびＴＰＣ（送信電力制御）コマンドを含む、アップリンク無線リンク制御情報（例えばアップリンクＤＰＣＣＨ）、または（３）ＨＡＲＱ処理のために使用されるＲＳＮ（再送シーケンス番号（ｒｅｔｒａｎｓｍｉｓｓｉｏｎ  ｓｅｑｕｅｎｃｅ  ｎｕｍｂｅｒ））、送信されるトランスポートブロックのサイズを示すＥ−ＴＦＣＩ（Ｅ−ＤＣＨトランスポートフォーマットコンビネーションインデックス（Ｅ−ＤＣＨ  ｔｒａｎｓｐｏｒｔ  ｆｏｒｍａｔ  ｃｏｍｂｉｎａｔｉｏｎ  ｉｎｄｅｘ））情報、およびハッピービット（ｈａｐｐｙ  ｂｉｔ）を含む、Ｅ−ＤＣＨ制御情報（例えばＥ−ＤＰＣＣＨ）のうちの少なくとも１つを含む。
【００２２】
データチャネル（例えばＥ−ＤＰＤＣＨ）は、図３に示されるように、アンカーアップリンク搬送波上でユーザトラフィックを運ぶことができる。
【００２３】
補助アップリンク搬送波は、ユーザデータチャネル（例えばＥ−ＤＰＤＣＨ）およびパイロットチャネルを搬送することができる。パイロットチャネルは、パイロットシンボルの他に、ＴＰＣ（送信電力制御）コマンドも搬送する、従来のアップリンクＤＰＣＣＨとすることができる。ＴＰＣコマンドは、セカンダリダウンリンク搬送波のためのダウンリンク電力を管理する、ＷＴＲＵとＵＴＲＡＮの間のセカンダリ電力制御ループを制御するために使用することができる。あるいは、パイロットチャネルは、パイロットシンボルを含む、アップリンクＤＰＣＣＨの新しいスロットフォーマットを有することができる。例えば、従来のアップリンクＤＰＣＣＨのすべての１０ビットは、パイロットシーケンスを搬送するために使用することができる。あるいは、パイロットチャネルは、セカンダリアップリンク搬送波上でのデータの受信を改善するためにＵＴＲＡＮによって使用されるパイロットシンボルを搬送する、新しいアップリンク制御チャネルとすることができる。
【００２４】
アンカーアップリンク搬送波上で送信されるデータおよび補助アップリンク搬送波上で送信されるデータの両方のためのＥ−ＤＣＨ制御情報は、アンカーアップリンク搬送波上で送信することができる。このＥ−ＤＣＨ制御情報は、両方のアップリンク搬送波のための制御情報を含む、Ｅ−ＤＰＣＣＨのための新しいスロットフォーマットを定義することによって、またはアンカーアップリンク搬送波上で２つの独立したＥ−ＤＰＣＣＨチャネル（一方はアンカーアップリンク搬送波用、他方は補助アップリンク搬送波用）を送信することによって、運ぶことができる。
【００２５】
代替実施形態によれば、図４に示されるように、セカンダリアップリンク搬送波も、セカンダリアップリンク搬送波の送信に関連するＥ−ＤＣＨ制御情報を搬送することができる。アンカーアップリンク搬送波上で送信されるＥ−ＤＣＨ制御情報は、アンカーアップリンク搬送波上でのデータ送信に関係する。Ｅ−ＤＣＨ制御情報を送信するため、セカンダリアップリンク搬送波上では、（シングルキャリア動作と同様の方法で）データチャネルおよびパイロットチャネルに加えて、別個のＥ−ＤＰＣＣＨを送信することができる。あるいは、パイロットおよびＥ−ＤＣＨ制御情報の両方を含む新しいアップリンク制御チャネルを定義することができる。新しいアップリンク制御チャネルは、アップリンクパイロットシンボル、ＦＢＩ、ＴＰＣ、ＨＡＲＱ処理のために使用されるＲＳＮ、送信されるトランスポートブロックのサイズを示すＥ−ＴＦＣＩ情報、および／またはハッピービットを含むことができる。あるいは、新しいアップリンク制御チャネルは、パイロットシンボル、ＲＳＮ、および／またはＥ−ＴＦＣＩ情報を含むことができる。
【００２６】
Ｅ−ＤＰＣＣＨがアンカーアップリンク搬送波および補助アップリンク搬送波の両方で送信される場合、両方のアップリンク搬送波において、ハッピービットを以下のように設定することができる。各アップリンク搬送波におけるハッピービットは、各アップリンク搬送波の、それぞれの電力ヘッドルーム状態および個々のグラントに従って、設定することができる。電力ヘッドルームは、アップリンクデータの送信のために利用可能な電力の量または比として定義することができる。あるいは、電力ヘッドルームは、他のアップリンクデータおよび制御チャネルの送信のために基準アップリンク搬送チャネル上で利用可能な電力の量または比とすることができる。これは、例えば、第２のアップリンク搬送波においてより高いデータレートで送信を行うのに十分な電力ヘッドルームが存在する場合、または第２のアップリンク搬送波におけるグラントがより低い場合、一方のアップリンク搬送波においてハッピービットが「ハッピー」に設定されることがあり、一方、第２のアップリンク搬送波においてハッピービットが「アンハッピー」に設定されることを意味する。
【００２７】
あるいは、一方のアップリンク搬送波（例えばアンカーアップリンク搬送波）におけるハッピービットは、両方のアップリンク搬送波の組合せ状態（グラントおよび電力ヘッドルーム）に従って設定することができる。このケースでは、（１）ＷＴＲＵが、両方のアップリンク搬送波に対するＥ−ＴＦＣ選択の際に、両方のアップリンク搬送波上で、現在のサービンググラントによって許可された最大量のスケジュールされたデータ（ｓｃｈｅｄｕｌｅｄ  ｄａｔａ）を送信している場合、（２）ＷＴＲＵが、アップリンク搬送波のいずれかまたはすべてにおいて、より高いデータレートで送信を行うのに利用可能な十分な電力を有する場合、または（３）ハッピービットと同じＴＴＩ中にデータを送信するために、（両方のアップリンク搬送波に対する）Ｅ−ＴＦＣ選択において選択された電力オフセットと同じ電力オフセットに基づいて、ＴＥＢＳ（合計Ｅ−ＤＣＨバッファステータス（ｔｏｔａｌ  Ｅ−ＤＣＨ  ｂｕｆｆｅｒ  ｓｔａｔｕｓ））が、各搬送波におけるアクティブプロセスとプロセスの総数の比を考慮して、現在のサービンググラントを用いて送信されるために、Ｈａｐｐｙ＿Ｂｉｔ＿Ｄｅｌａｙ＿Ｃｏｎｄｉｔｉｏｎ  ｍｓよりも多くを必要とする場合、ハッピービットを「アンハッピー」に設定することができる。
【００２８】
一方のアップリンク搬送波におけるハッピービットが、両方のアップリンク搬送波の組合せ状態に従って設定される場合、第２のアップリンク搬送波におけるハッピービットは、以下の一方または組合せで解釈することができる。
【００２９】
（１）ハッピービットは、第２のアップリンク搬送波における電力ヘッドルームが第１のアップリンク搬送波における電力ヘッドルームよりも大きい場合、「ハッピー」に設定することができ、それ以外の場合は、「アンハッピー」に設定することができる。この情報は、ネットワークが、どの搬送波上でグラントを増加させ得るかを決定するのに役立つ。または
（２）あるいは、第２のアップリンク搬送波におけるハッピービットは、もっぱら第２のアップリンク搬送波における（またはもっぱら第１のアップリンク搬送波における）グラントおよび電力ヘッドルームの状態を考慮して、ハッピービット決定のための従来の規則によって設定することができる。
【００３０】
すべてのアップリンク搬送波は、データチャネル（例えばＥ−ＤＰＤＣＨ）および制御チャネル（例えばＤＰＣＣＨ、Ｅ−ＤＰＣＣＨ、またはＨＳ−ＤＰＣＣＨ）を含む、同じチャネル構造を有することができる。各アップリンク搬送波は、関連するダウンリンク搬送波とペアにすることができる。これは、搬送波が異なる周波数帯に配置され、無線状態が搬送波間で著しく異なることがある場合に有利なことがある。
【００３１】
アップリンク搬送波の数およびダウンリンク搬送波の数は、同じとすることができる。このケースでは、各アップリンク搬送波は、ダウンリンク搬送波とペアをなすことができる。ダウンリンク搬送波が２つ、アップリンク搬送波が２つであるケースの一例では、ダウンリンク搬送波１は、アップリンクスケジューリング情報（例えばＥ−ＡＧＣＨ、Ｅ−ＲＧＣＨ）、ＨＡＲＱフィードバック（例えばＥ−ＨＩＣＨ）、または（例えばＦ−ＤＰＣＨを介する）電力制御コマンドなどを含む、アップリンク搬送波１に関連するすべての制御情報を搬送することができる。同様に、ダウンリンク搬送波２は、アップリンク搬送波２に関連するすべての制御情報を搬送することができる。
【００３２】
アップリンク搬送波１は、ダウンリンクチャネル品質（例えばＨＳ−ＤＰＣＣＨにおけるＣＱＩ）、ＨＡＲＱフィードバック（例えばＨＳ−ＤＰＣＣＨにおけるＡＣＫ／ＮＡＣＫ）、または電力制御コマンド（例えばアップリンクＤＰＣＣＨ）などを含む、ダウンリンク搬送波１に関連するすべての制御情報を搬送することができる。同様に、アップリンク搬送波２は、ダウンリンク搬送波２に関連するすべての制御情報を搬送することができる。
【００３３】
あるいは、ダウンリンク搬送波の数は、アップリンク搬送波の数よりも多くてよい。このケースでは、アップリンク送信のために使用されるよりも多くのダウンリンク搬送波を受信することが許可される。例えば、ＷＴＲＵが同時に、４つのダウンリンク搬送波上で受信し、２つのアップリンク搬送波上で送信するように構成されたケースでは、アップリンク搬送波１は、ダウンリンク搬送波１（アンカー）およびダウンリンク搬送波２（補助）に合致させることができ、アップリンク搬送波１は、ダウンリンクチャネル品質（例えばＨＳ−ＤＰＣＣＨにおけるＣＱＩ）、ＨＡＲＱフィードバック（例えばＨＳ−ＤＰＣＣＨにおけるＡＣＫ／ＮＡＣＫ）、または電力制御コマンド（例えばアップリンクＤＰＣＣＨ）などを含む、ダウンリンク搬送波１およびダウンリンク搬送波２に関連する制御情報のいずれかまたはすべてを搬送することができる。アップリンク搬送波２は、ダウンリンク搬送波３（アンカー）およびダウンリンク搬送波４（補助）に合致させることができ、アップリンク搬送波２は、ダウンリンクチャネル品質（例えばＨＳ−ＤＰＣＣＨにおけるＣＱＩ）、ＨＡＲＱフィードバック（例えばＨＳ−ＤＰＣＣＨにおけるＡＣＫ／ＮＡＣＫ）、または電力制御コマンド（例えばアップリンクＤＰＣＣＨ）などを含む、ダウンリンク搬送波３およびダウンリンク搬送波４に関連する制御情報のいずれかまたはすべてを搬送することができる。
【００３４】
アップリンク上で複数の搬送波を用いる場合、ＷＴＲＵのアクティブセットを変更することができる。ＷＴＲＵは、各アップリンク搬送波に対応する、２つのアクティブセットを独立に維持することができる。ＷＴＲＵは、アンカーアップリンク搬送波におけるＥ−ＤＣＨ無線リンクを含むアクティブセットと、補助アップリンク搬送波におけるＥ−ＤＣＨ無線リンクを含む別のアクティブセットとを有することができる。これは、ネットワークが、同じＥ−ＤＣＨアクティブセットにおいて、いくつかのシングルセル（ｓｉｎｇｌｅ  ｃｅｌｌ）ノードＢと、いくつかのデュアルセル（ｄｕａｌ  ｃｅｌｌ）ノードＢとを構成することを可能にする。
【００３５】
あるいは、ＷＴＲＵは、１つのアクティブセットを維持することができ、アクティブセットの各エントリは、アンカーアップリンク搬送波および補助アップリンク搬送波の両方に関連する無線リンクを含む。この実施形態では、ネットワークは、いくつかのセクタではシングルＥ−ＤＣＨ構成を用いて、またいくつかの他のセクタではデュアルＥ−ＤＣＨを用いて、ＷＴＲＵを構成することはできない。
【００３６】
あるいは、Ｅ−ＤＣＨアクティブセットの非サービングセルは、１つの搬送波無線リンクを含むことができ、サービングセルは、２つの無線リンク（１つはアンカー搬送波に対応し、１つは補助搬送波に対応する）を含むことができる。
【００３７】
複数の搬送波を介してＨＳＵＰＡを動作させるのに必要なシグナリングを提供するための実施形態が、これ以降で説明される。
【００３８】
一実施形態によれば、各アップリンク搬送波は、制御シグナリングのための特定のダウンリンク搬送波に関連付けることができる。関連付けは、ＲＲＣ（無線リソース制御（ｒａｄｉｏ  ｒｅｓｏｕｒｃｅ  ｃｏｎｔｒｏｌ））シグナリングを介して、ネットワークによって伝達することができ、または事前定義された１組の規則に基づいて、暗黙的に知ることができる。例えば、２つのアップリンク搬送波および２つのダウンリンク搬送波が利用され、アップリンク搬送波Ａとダウンリンク搬送波Ａ、およびアップリンク搬送波Ｂとダウンリンク搬送波Ｂとが関連付けられる場合、ＷＴＲＵは、ダウンリンク搬送波Ａ上で受信したＥ−ＡＧＣＨ、Ｅ−ＲＧＣＨ、およびＥ−ＨＩＣＨコマンドを、アップリンク搬送波Ａに関連するサービンググラントおよびＨＡＲＱプロセスに適用することができる。同様に、ＷＴＲＵは、ダウンリンク搬送波Ｂ上で受信したＥ−ＡＧＣＨ、Ｅ−ＲＧＣＨ、およびＥ−ＨＩＣＨコマンドを、アップリンク搬送波Ｂに関連するサービンググラントおよびＨＡＲＱプロセスに適用する。
【００３９】
別の実施形態によれば、Ｅ−ＡＧＣＨ、Ｅ−ＲＧＣＨ、またはＥ−ＨＩＣＨコマンドが送信されるダウンリンク搬送波は、これらのコマンドが適用されるアップリンク搬送波に直接的にリンクされなくてよい。グラントは、アンカーダウンリンク搬送波上でのみ（または代替として、ダウンリンク搬送波のいずれかで）送信することができ、アップリンク搬送波のいずれにも適用することができる。
【００４０】
複数のアップリンク搬送波のための絶対グラントを送信するための実施形態が、これ以降で説明される。
【００４１】
一実施形態によれば、ネットワークは、ＷＴＲＵにおいて、各アップリンク搬送波に対してＥ−ＲＮＴＩ（Ｅ−ＤＣＨ無線ネットワーク一時識別情報）の１組を設定することができる。Ｅ−ＲＮＴＩの各組（すなわちプライマリＥ−ＲＮＴＩおよびセカンダリＥ−ＲＮＴＩ）は、与えられたアップリンク搬送波に関連付けられる。任意選択的に、各アップリンク搬送波に対して、プライマリＥ−ＲＮＴＩのみを設定することもできる。ＷＴＲＵは、設定されたすべてのＥ−ＲＮＴＩについて、Ｅ−ＡＧＣＨを監視し、設定されたＥ−ＲＮＴＩの１つが検出された場合、ＷＴＲＵは、Ｅ−ＡＧＣＨを介して搬送されたコマンドを、復号されたＥ−ＲＮＴＩに関連付けられたアップリンク搬送波に適用する。アップリンク搬送波へのＥ−ＲＮＴＩの関連付けは、Ｅ−ＡＧＣＨが送信されるダウンリンク搬送波に関わりなく、有効である。
【００４２】
あるいは、ネットワークは、各アップリンク搬送波に関連付けられた少なくとも１つのＥ−ＡＧＣＨ（すなわちＥ−ＡＧＣＨチャネライゼーションコード（ｃｈａｎｎｅｌｉｚａｔｉｏｎ  ｃｏｄｅ））を設定することができる。ＷＴＲＵは、すべてのＥ−ＡＧＣＨ（すなわち設定されたすべてのＥ−ＡＧＣＨチャネライゼーションコード）を監視する。ＷＴＲＵは、そのＥ−ＲＮＴＩ（プライマリまたはセカンダリ）を、設定されたＥ−ＡＧＣＨ上で検出した場合、対応するコマンドを、コマンドが送信された、Ｅ−ＡＧＣＨチャネライゼーションコードに関連付けられたアップリンク搬送波に適用する。
【００４３】
あるいは、ＷＴＲＵは、受信したＥ−ＡＧＣＨコマンドを、タイミングに基づいて、アップリンク搬送波の１つに適用することができる。例えば、コマンドが適用されるアップリンク搬送波インデックスは、受信したＥ−ＡＧＣＨの、Ｅ−ＡＧＣＨサブフレーム番号とＣＦＮ（接続フレーム番号（ｃｏｎｎｅｃｔｉｏｎ  ｆｒａｍｅ  ｎｕｍｂｅｒ））（またはＳＦＮ（システムフレーム番号（ｓｙｓｔｅｍ  ｆｒａｍｅ  ｎｕｍｂｅｒ）））との関数とすることができる。加えて、与えられたサブフレームにおいて、Ｅ−ＡＧＣＨコマンドが送信されたときのサブフレームと対応するＥ−ＤＣＨ送信のサブフレームとの間の時間オフセットは、アップリンク搬送波に応じて異なっていてもよい。例えば、時間オフセットは、アップリンク搬送波＃１については約５サブフレームとすることができるが、アップリンク搬送波＃２については１サブフレームだけ短く（すなわち約４サブフレームと）することができる。時間オフセットは、絶対グラントコマンドが、両方の搬送波のためのいずれのＨＡＲＱプロセスにも対処できるように、ＨＡＲＱサイクル毎に交換することができる（８つのＴＴＩは２ｍｓのＴＴＩ、４つのＴＴＩは１０ｍｓのＴＴＩ）。
【００４４】
あるいは、２つのアップリンク搬送波の特別なケースでは、付随する絶対グラントコマンドが適用されるアップリンク搬送波を示すために、Ｅ−ＡＧＣＨ上で搬送される絶対グラントスコープビット（ａｂｓｏｌｕｔｅ  ｇｒａｎｔ  ｓｃｏｐｅ  ｂｉｔ）を再解釈することができる。
【００４５】
あるいは、２つ以上のアップリンク絶対グラントコマンドをサポートするために、Ｅ−ＡＧＣＨの物理層フォーマットを変更することができる。これは、絶対グラント粒度を（５ビットからより低い値に）低下させることによって、他の情報を搬送するように絶対グラントスコープビットを再解釈することによって、より多くの情報をサポートするためにチャネル符号化方式を変更することによって、もしくはすべてのアップリンク搬送波の間で絶対グラントスコープビットを共有することによって、またはそれらの任意の組合せで達成することができる。
【００４６】
あるいは、この絶対グラントコマンドが適用可能なアップリンク搬送波を明示的に示すために、絶対グラントメッセージに追加のフィールドが追加されるように、Ｅ−ＡＧＣＨフォーマットを変更することができる。アップリンクにおける搬送波の数に応じて、このフィールドは、デュアルセル動作の場合は、１ビットとすることができ、または最大で４つの搬送波をサポートするには、２ビットとすることができる。
【００４７】
あるいは、ＷＴＲＵには、両方の搬送波上での組み合わされた送信に適用される、単一のグラント値を提供することができる。伝達されたグラント（電力比）は、ビットの数（またはデータレート）に変換することができ、ＷＴＲＵに、両方の搬送波を介して、より多くの合計のビット数（またはより高い合計のデータレート）を送信することを許可することはできない。あるいは、両方の搬送波のＥ−ＤＰＤＣＨ／ＤＰＣＣＨ電力比の線形和が、伝達されたグラントを超過することを許可することはできない。
【００４８】
この単一のグラントによって伝達される制約は、２つの搬送波の間での適切な共有を決定するために、他の制約と組み合わせることができる。例えば、ネットワークは、干渉制御の目的で、どちらかの（または両方の）アップリンク搬送波上で、最大グラントを準静的にまたは動的に伝達することができる。個々の搬送波におけるグラントを制御するための従来のメカニズムは、共有されるグラントと併せて使用することができる。このケースでは、共有されるグラントは、異なるＥ−ＲＮＴＩ値を用いて識別することができる。
【００４９】
複数のアップリンク搬送波のための相対グラントおよびＨＡＲＱ指示を送信するための実施形態が、これ以降で説明される。
【００５０】
一実施形態では、各アップリンク搬送波に対してＥ−ＲＧＣＨと（各無線リンクのための）Ｅ−ＨＩＣＨの１組を設定することができる。Ｅ−ＲＧＣＨとＥ−ＨＩＣＨの異なる組は、シグネチャが異なる同じチャネライゼーションコードを共有することができ、またはまったく異なるチャネライゼーションコードを使用することができる。各組は、特定のアップリンク搬送波に関連付けられる。この関連付けは、明示的なシグナリングを介して通知することができ、または事前定義された規則によって暗黙的に知ることができる。その後、Ｅ−ＲＧＣＨとＥ−ＨＩＣＨは、アップリンク搬送波との関連付けとは独立した、事前定義されたダウンリンク搬送波を介して送信される。例えば、Ｅ−ＲＧＣＨとＥ−ＨＩＣＨのすべての組は、サービングＨＳ−ＤＳＣＨセル（アンカーダウンリンク搬送波）を介して送信することができる。あるＥ−ＲＧＣＨは、両方のアップリンク搬送波に関連付けることができ、このケースでは、ＵＰ（またはＤＯＷＮ）コマンドは、両方のアップリンク搬送波において同時に、グラントを引き上げる（または引き下げる）。
【００５１】
あるいは、各アップリンク搬送波は、１つのダウンリンク搬送波に関連付けることができる。ネットワークは、アップリンク搬送波毎にＥ−ＲＧＣＨと（各無線リンクのための）Ｅ−ＨＩＣＨの１組を設定し、その１組は、関連付けられたダウンリンク搬送波を介して送信される。ＷＴＲＵは、各ダウンリンク搬送波上でＥ−ＲＧＣＨおよびＥ−ＨＩＣＨを監視し、受信したコマンドを、関連付けられたアップリンク搬送波に適用する。例えば、アップリンク搬送波Ａがダウンリンク搬送波Ａに関連付けられる場合、ダウンリンク搬送波Ａを介して受信したＥ−ＲＧＣＨコマンドおよびＥ−ＨＩＣＨコマンドは、アップリンク搬送波Ａに適用される。
【００５２】
ＷＴＲＵは、各アップリンク搬送波について、非サービングノードＢから、Ｅ−ＲＧＣＨおよびＥ−ＨＩＣＨを受信することができる。非サービングノードＢは、デュアルアップリンク動作が可能でないことがあるので、各アップリンク搬送波について、別個のＥ−ＤＣＨアクティブセットを定義してよい。ＷＴＲＵは、アップリンク搬送波の少なくとも１つについて、非サービングノードＢから、非サービングＥ−ＲＧＣＨまたはＥ−ＨＩＣＨを受信することができる。同じ理由で、電力制御を目的として、各アップリンク搬送波について、別個のアクティブセットを定義することができる。このケースでは、ＷＴＲＵは、アップリンク搬送波の一方について、ノードＢから、（ＤＰＤＣＨまたはＦ−ＤＰＣＨ上で）ＴＰＣコマンドを受信することができる。
【００５３】
アップリンク搬送波に対する並列制御が許可されない場合、ＷＴＲＵは、各搬送波のための別個のアクティブセットを維持する必要がないことがある。１つのアクティブセットを定義することができ、ダウンリンクアンカー搬送波のアクティブセットから、ダウンリンク制御シグナリングを監視することができる。
【００５４】
補助アップリンク搬送波に関連するオーバヘッドのため、バースト期間中には、ＷＴＲＵに対して、補助搬送波の使用、または一度に２つのアップリンク搬送波の使用を制約するのが望ましいことがある。これに関連して、アップリンクリソース（すなわち、補助アップリンク搬送波のみ、または代替として、補助アップリンク搬送波およびアンカーアップリンク搬送波の両方）を、一度に単一のＷＴＲＵに割り当てる（すなわち、与えられた時間において、１つのＷＴＲＵが両方の搬送波において、または補助搬送波上で送信することを許可され、他のすべてのＷＴＲＵはアンカー搬送波上でのみ送信することを許可される）のが効率的なことがある。
【００５５】
一実施形態によれば、事前定義または設定された期間の間、補助アップリンク搬送波における、または両方のアップリンク搬送波における、そのグラントを使用するように、ＷＴＲＵをスケジュールまたは構成することができる。ＷＴＲＵは、一方のアップリンク搬送波（アンカーアップリンク搬送波または補助アップリンク搬送波）上でのみ送信していることができ、スケジューラは、両方のアップリンク搬送波において、ＷＴＲＵをスケジュールする。これは、ネットワークが、ＷＴＲＵの間でリソースを交換するときに、シグナリングを最低限に抑えることを可能にする。
【００５６】
初期状態では、ＷＴＲＵは、アンカーアップリンク搬送波上でのみ、または補助アップリンク搬送波上でのみ、Ｅ−ＤＣＨを送信している（一方のアップリンク搬送波のみを活動化することができ、他方のアップリンク搬送波は活動化してもよく、または活動化しなくてもよい）。ＷＴＲＵが送信するデータを大量に有する場合、ネットワークは、現在使用されていないアップリンク搬送波におけるグラントを、一時的に提供することを決定することができる。両方のアップリンク搬送波上での送信を開始するように、ＷＴＲＵに信号を送るため、またはＷＴＲＵをトリガするために、以下の条件、すなわち、（１）ＷＴＲＵが、データ（すなわちＥ−ＤＣＨ）を現在送信していないアップリンク搬送波に関連する非ゼログラントを受信すること、（２）ＷＴＲＵが、非ゼログラントと、アンカーアップリンク搬送波もしくは補助アップリンク搬送波における少なくとも１つのアクティブＨＡＲＱプロセスを有し、現在送信していないアップリンク搬送波についての非ゼログラントを受信すること、または（３）ＷＴＲＵが、非ゼログラントと、アンカーアップリンク搬送波もしくは補助アップリンク搬送波において活動化されたすべてのＨＡＲＱプロセスを有し、現在送信していないアップリンク搬送波についての非ゼログラントを受信することの１つまたは組合せを使用することができる。
【００５７】
ＷＴＲＵには、以下の方法の１つまたは組合せを使用して、他の搬送波上での送信を開始するために、信号を送ることができる。ＷＴＲＵには、両方の搬送波上での送信を開始するようにＷＴＲＵに指示するために使用される、（これ以降「デュアルセルＥ−ＲＮＴＩ」と呼ばれる）Ｅ−ＲＮＴＩを割り当てることができる。ＷＴＲＵは、シングルセルＥ−ＲＮＴＩ、またはシングルセル用に使用される２つの別個のＥ−ＲＮＴＩ（１つはアンカー用、１つは補助用）も有することができる。Ｅ−ＡＧＣＨがデュアルセルＥ−ＲＮＴＩを用いてマスクされる場合、ＷＴＲＵは、与えられたＥ−ＡＧＣＨに対応するＨＡＲＱプロセスにおいて、両方のアップリンク搬送波上での送信を開始する。Ｅ−ＡＧＣＨ上でデュアルセルＥ−ＲＮＴＩとともに伝達されたグラントは、新たに使用されるアップリンク搬送波において使用することができ、ＷＴＲＵは、ＷＴＲＵがすでに送信していた搬送波上では、既存のサービンググラントを用いて続行することができる。あるいは、Ｅ−ＡＧＣＨ上でデュアルセルＥ−ＲＮＴＩとともに伝達されたグラントは、両方のアップリンク搬送波のために使用することができる。あるいは、Ｅ−ＡＧＣＨ上でデュアルセルＥ−ＲＮＴＩとともに伝達されたグラントは、両方のアップリンク搬送波の間で半分に分割することができる。
【００５８】
あるいは、現在の絶対グラント値よりも高い値のシグナリングを可能にするために、絶対グラントテーブルを拡張することができる。絶対グラントが３０を上回る値を示している場合、ＷＴＲＵは、これを、他方のアップリンク搬送波上での送信を開始するための指示として解釈することができる。両方のアップリンク搬送波において使用するグラントは、アップリンク搬送波の間で分割されたＡＧに対応してもよい。あるいは、新しい搬送波におけるＡＧは、伝達されたＡＧから現在の搬送波のサービンググラントを減算したＡＧに対応してもよい。あるいは、新しい搬送波におけるＡＧインデックスは、伝達されたＡＧから３０を減算したＡＧに対応してもよい。あるいは、現在の搬送波のために使用されるサービンググラントは、新しい搬送波のためにも使用することができる。
【００５９】
本明細書で説明された方法のいずれも、他方の搬送波におけるグラントを伝達するために使用することができる（例えば、絶対グラントインデックスが、グラントが適用されるアップリンク搬送波を示す新しいビットとともに伝達することができるような、絶対グラントメッセージの変更）。
【００６０】
あるいは、両方の搬送波上で送信を開始するようにＷＴＲＵに通知する指示ビットは、Ｅ−ＡＧＣＨ上で伝達することができる。Ｅ−ＡＧＣＨ上でメッセージを受信すると、ＷＴＲＵは、現在のアップリンク搬送波と同じサービンググラントを使用して、または代替として、指示ビットと同じＥ−ＡＧＣＨ上で搬送された絶対グラントに対応するサービンググラントを使用して、他方のアップリンク搬送波上で送信を開始することができる。
【００６１】
上記のトリガ条件において、絶対グラントスコープは、特定の値（「すべて」または「単一」）に設定することができる。
【００６２】
ＷＴＲＵが現在送信していない搬送波における非永続的グラントがトリガされた場合、ＷＴＲＵは、まだ行われていないならば、新しいアップリンク搬送波を同期させる。新しい搬送波における同期は、新しい搬送波上でのＥ−ＤＣＨ送信の開始に先立つ、ＤＰＣＣＨプリアンブルの送信を含むこともできる。
【００６３】
ＷＴＲＵは、非永続的タイマを開始することもできる。非永続的タイマは、時間値またはＴＴＩの数に対応してもよい。この値は、ＷＴＲＵによって事前に決定することができ、またはＲＲＣシグナリングを介してＷＴＲＵに伝達／設定することができる。
【００６４】
ＷＴＲＵは、上で説明された方法のうちの１つを使用して、伝達された非永続的グラントを使用して、Ｅ−ＤＣＨ送信を開始する。あるいは、ＷＴＲＵは、グラントの値を無視し、最大グラントを使用することができる。あるいは、ＷＴＲＵは、伝達されたグラントの値を無視し、ネットワークによって伝達された最大値を使用することができる。あるいは、ＷＴＲＵは、ＲＲＣシグナリングを介してネットワークによって伝達された、またはＷＴＲＵによって事前に決定された、事前設定された非永続的グラントを使用することができる。
【００６５】
非永続的タイマが満了すると、新しいアップリンク搬送波に関連するサービンググラントは、ゼロの値を取り、および／または新しいアップリンク搬送波に関連するすべてのＨＡＲＱプロセスは、非活動化される。したがって、ＷＴＲＵは、新しい搬送波上で新しいＨＡＲＱ送信を開始することを停止する。任意選択的に、新しい搬送波上でのすべてのＨＡＲＱ再送が完了すると、ＷＴＲＵは、新しい搬送波を暗黙的に非活動化することができる。任意選択的に、ＷＴＲＵは、タイマが満了した後、非永続的タイマによって許容された最後のＨＡＲＱ送信の終了時にピギーバックして、または単独で、ＳＩを送信することができる。非永続的タイマの値は、ネットワークによって設定することができ、ＷＴＲＵまたはセル固有とすることができる。
【００６６】
高速グループグラント切り換え（ｆａｓｔ  ｇｒｏｕｐ  ｇｒａｎｔ  ｓｗｉｔｃｈｉｎｇ）の場合、ＷＴＲＵは、１つの専用Ｅ−ＲＮＴＩおよび１つの共用Ｅ−ＲＮＴＩを用いて、ネットワークによって構成することができる。ネットワークは、ＷＴＲＵのグループに対するサービンググラントを、伝達もしくは設定された値（例えばゼロ）まで低減させるために、またはサービンググラントを、その以前の値まで回復させるために、任意選択的に共通オフセットとともに、共用Ｅ−ＲＮＴＩを使用することができる。この機能を用いた場合、ネットワークは、共用Ｅ−ＲＮＴＩを使用して、セル内のアップリンクリソースを解放し、それを単一のＷＴＲＵに割り当てることができ、後で、ＷＴＲＵのグループに対するグラントを、以前の状態に戻すことができる。
【００６７】
ここで図５を参照すると、両方のアップリンク搬送波５２０、５４０上で（すなわち、デュアル搬送波シナリオにおいて）電力制御を実行し、アップリンク搬送波に電力およびデータを割り当てるための実施形態が、これ以降で説明される。図５〜図７および図９には、アップリンク搬送波およびダウンリンク搬送波によって搬送される特定のチャネルが示されているが、任意のチャネルがそのような搬送波で搬送され得ることを指摘しておく。
【００６８】
一実施形態によれば、アップリンク搬送波５２０、５４０上でのアップリンクＤＰＣＣＨ（個別物理制御チャネル（ｄｅｄｉｃａｔｅｄ  ｐｈｙｓｉｃａｌ  ｃｏｎｔｒｏｌ  ｃｈａｎｎｅｌ））送信５２５、５４５の送信電力は、ノードＢによって送信される２つの別個のＴＰＣ（送信電力制御）コマンドによって制御される。一方のＴＰＣコマンドは、第１のアップリンク搬送波５２０の電力を制御し、他方のＴＰＣコマンドは、第２のアップリンク搬送波５４０の電力を制御する。ＷＴＲＵは、対応するＴＰＣコマンドに基づいて、各アップリンク搬送波５２０、５４０上のＤＰＣＣＨ５２５、５４５の電力を変化させる。
【００６９】
ノードＢは、アップリンク搬送波のためのＴＰＣコマンドを、そのアップリンク搬送波５２０、５４０にそれぞれ対応するダウンリンク搬送波５７０、５９０上のＦ−ＤＰＣＨ５６０、５８０を介して送信する。アップリンク搬送波とダウンリンク搬送波の間のマッピングは、事前に定義することができる。ＷＴＲＵは一般に、２つの異なるダウンリンク搬送波上で送信される２つのチャネル（例えば、Ｆ−ＤＰＣＨ）を聴取することによって、ＴＰＣコマンドを獲得するが、もちろん、そのようなコマンドを送信するための異なるチャネルを使用することもできる。
【００７０】
あるいは、ここで図６を参照すると、２つのアップリンク搬送波５２０、５４０のためのＴＰＣコマンドは、同じダウンリンク搬送波５７０（ダウンリンク搬送波５７０または５９０の一方を使用できるが、この実施形態では、ダウンリンク搬送波５７０を使用するものとして示している）上の２つの異なるチャネル５６２、５６４を介して送信することができる。この実施形態では、ダウンリンク搬送波の少なくとも一方で他の活動が存在しない場合、ＷＴＲＵは、両方のダウンリンク搬送波５７０、５９０を聴取する必要はない。
【００７１】
図７に示されるさらなる一代替実施形態では、２つのアップリンク搬送波５２０、５４０のためのＴＰＣコマンドは、単一のダウンリンク搬送波５７０（やはり、ダウンリンク搬送波５７０または５９０の一方を使用できるが、この実施形態では、ダウンリンク搬送波５７０を使用するものとして示している）における単一のチャネル５６２（例えば、Ｆ−ＤＰＣＨ）を介して搬送することができる。図８は、この代替実施形態による、Ｆ−ＤＰＣＨスロットフォーマットの一例を示している。Ｆ−ＤＰＣＨスロットフォーマットは、スロット当たり２つのＴＰＣフィールドを含み、ＴＰＣ１およびＴＣＰ２は各々、アップリンク搬送波１およびアップリンク搬送波２のための電力制御コマンド（ＵＰまたはＤＯＷＮ）をそれぞれ含む。
【００７２】
図７を再び参照すると、両方のアップリンク搬送波のための電力制御コマンドが、Ｆ−ＤＰＣＨチャネルなどの単一のチャネル５６２を介して送信される、別の代替実施形態では、電力制御コマンドは、時間多重化される。電力制御コマンドの時間多重化は、多くの異なる方法で達成することができる。電力制御コマンドは、アップリンク搬送波１  ５２０とアップリンク搬送波２  ５２０の間で均等に交代する。例えば、電力制御コマンドが対象とするアップリンク搬送波は、以下のようにして決定することができる。
【００７３】
Ｉｆ  （現在のＣＦＮ（接続フレーム番号（ｃｏｎｎｅｃｔｉｏｎ  ｆｒａｍｅ  ｎｕｍｂｅｒ））＋スロット番号）  ｍｏｄｕｌｏ  ２＝０
ｔｈｅｎ  ＴＰＣはアップリンク搬送波１用
Ｅｌｓｅ  ＴＰＣはアップリンク搬送波２用
例えば、アップリンク搬送波１  ５２０のための電力制御コマンドは、無線スロット＃０、２、４、６、８、１０、１２、および１４で搬送することができ、一方、アップリンク搬送波２  ５４０のための電力制御コマンドは、無線スロット＃１、３、５、７、９、１１、および１３で搬送することができ、またはこれの反対である。あるいは、アップリンク搬送波１  ５２０には、アップリンク搬送波２  ５４０よりも多くの電力制御コマンドを割り当てることができる。例えば、アップリンク搬送波１  ５２０のための電力制御コマンドは、無線スロット＃０、１、３、４、６、７、９、１０、１２、および１３で搬送することができ、一方、アップリンク搬送波２  ５４０のための電力制御コマンドは、無線スロット＃２、５、８、１１、および１４で搬送することができる。この代替形態は、より多くの電力制御コマンドを提供することで、全体的な効率が向上する理由が存在する場合に、使用することができる。そのようなシナリオは、例えば、アップリンク搬送波１  ５２０が、アップリンク搬送波２  ５４０よりも多くの物理層チャネルを搬送している場合とすることができる。
【００７４】
同期も、搬送波単位に定義することができる。ＷＴＲＵは、両方の搬送波に対して別々に同期手順を適用することができる。ＷＴＲＵには、搬送波上での同期ステータスに応じて、その搬送波上での送信を許可することができる。無線リンク障害は、両方の搬送波で同期が失われた場合に宣言することができる。
【００７５】
図７を依然として参照すると、両方のアップリンク搬送波のための電力制御コマンドが、Ｆ−ＤＰＣＨなどの単一のチャネル５６２を介して送信される、また別の代替シナリオでは、両方のアップリンク搬送波上でのＤＰＣＣＨ送信の送信電力は、このシナリオではＦ−ＤＰＣＨを介してノードＢによって送信される単一のＴＰＣコマンドによって制御することができる。ノードＢからのＴＰＣコマンドが電力を増加させるよう指示する場合、両方のアップリンク搬送波上で電力が（例えば等しく）増加され、ＴＰＣコマンドが電力を低減させるよう指示する場合、両方のアップリンク搬送波上で電力が（例えば等しく）低減される。例えば、電力制御コマンドは、単一のＴＰＣフィールド内にジョイント符号化（ｊｏｉｎｔ−ｃｏｄｅｄ）することができる。ＮTPC＝２およびＮTPC＝４である場合の、ＴＰＣコマンドのジョイント符号化の例が、表１に示されており、ここで、ＮTPCはＴＰＣコマンドのビット数である。
【００７６】
【表１】
0006035366.tif 000002
【００７７】
ここで図９を参照すると、以下の実施形態は、ダウンリンク電力制御を目的とする、アップリンクＤＰＣＣＨを介するＷＴＲＵからノードＢへのＴＰＣ（送信電力制御）コマンドのアップリンク送信に関する。ＷＴＲＵは、アップリンク搬送波の一方（この例では９２０）のみのアップリンクＤＰＣＣＨ  ９２５を介して、ＴＰＣコマンドを送信することができる。別のアップリンク搬送波（この例では９４０）上では、ＷＴＲＵは、ＴＰＣビットを送信する代わりにＤＴＸ（不連続送信（ｄｉｓｃｏｎｔｉｎｕｏｕｓ  ｔｒａｎｓｍｉｓｓｉｏｎ））を、またはＴＰＣフィールドをもたない新しいスロットフォーマットを使用することができる。ＴＰＣコマンドは、例えばＦ−ＤＰＣＨ  ９７５などのダウンリンクチャネルが送信されるダウンリンク搬送波９７０上で測定された品質から導出することができる。この手法は、ＷＴＲＵからの干渉をいくらか低減するという利点を有する。ＷＴＲＵは、ノードＢによるチャネル推定のために使用されるパイロットビットのみを有するアップリンクＤＰＣＣＨ  ９２５、９４５を送信することができる。
【００７８】
あるいは、ＷＴＲＵは、両方のアップリンク搬送波９２０、９４０のアップリンクＤＰＣＣＨ  ９２５、９４５を介して、同じＴＰＣコマンドを送信することもできる。ＴＰＣコマンドは、Ｆ−ＤＰＣＨ  ９７５が送信されるダウンリンク搬送波９７０上で測定された品質から導出することができる。ノードＢは、ＷＴＲＵからのＴＰＣ信号の信頼性を向上させるために、２つのアップリンクＤＰＣＣＨ  ９２５、９４５からのＴＰＣコマンド信号を組み合わせることができる。
【００７９】
あるいは、ＷＴＲＵは、各アップリンク搬送波９２０、９４０のアップリンクＤＰＣＣＨ  ９２５、９４５を介して、独立のＴＰＣコマンドを送信することもできる。この場合、アップリンク搬送波９２０、９４０上で送信されるＴＰＣコマンドは、Ｆ−ＤＰＣＨ  ９７０が送信されるダウンリンク搬送波とは独立の、対応するダウンリンク搬送波（複数可）（図示されず）から測定された信号品質に基づいて導出することができる。この方式は、ダウンリンクチャネルに関するいくらかの追加の情報をネットワークに提供するという利点を有する。
【００８０】
２つのアップリンク搬送波上のアップリンクチャネル９２５、９２７、９４５は、同じに振る舞わないことがあるので、チャネル品質が、一方の搬送波９２０上では別の搬送波９４０上でとは異なって変化することがあり得る。一方の搬送波９２０上ではチャネル品質が変化し、別の搬送波９４０上ではチャネル品質が変化しないことも可能である。一例では、一方のアップリンク搬送波９２０上ではチャネル品質が悪化し、他方のアップリンク搬送波９４０上ではチャネル品質が向上する。この場合、ノードＢは、Ｆ−ＤＰＣＨ  ９７５上のＴＰＣビットの値を設定するための異なる選択肢を有する。ノードＢは、搬送波９２０、９４０の一方の品質が閾値を下回る場合は常に、ＴＰＣビットを「ｕｐ」に設定することができ、それ以外の場合は、「ｄｏｗｎ」に設定することができる。この選択肢は、搬送波９２０、９４０の一方でアップリンクＤＰＣＣＨの電力が高くなるという結果をもたらすことができ、ノードＢにとってチャネル推定をより容易にする。あるいは、ノードＢは、搬送波９２０、９４０の一方の品質が閾値を上回る場合は常に、ＴＰＣビットを「ｄｏｗｎ」に設定することができ、それ以外の場合は、「ｕｐ」に設定することができる。この選択肢は、搬送波９２０、９４０の一方でアップリンクＤＰＣＣＨ９２５、９４５の電力が閾値よりも低くなるという結果をもたらすことができ、そのため、ノードＢは、他方の搬送波からの情報を使用して、この搬送波上での許容可能なチャネル推定を導出することができる。
【００８１】
平均アップリンク干渉（ノイズ発生（ｎｏｉｓｅ  ｒｉｓｅ））レベルが、両方のアップリンク搬送波９２０、９４０で同じではない場合、長期的にはアップリンク搬送波間でチャネル品質の著しい不一致が生じることがある。ＷＴＲＵは、一方のアップリンク搬送波（例えば９２０）の送信電力に、他方のアップリンク搬送波（例えば９４０）と比べて、オフセットを適用することができる。このオフセットは、より高位の層のシグナリング（例えば、ＲＲＣシグナリング）などを介して、ネットワークによって伝達することができる。ネットワークは、両方のアップリンク搬送波９２０、９４０の平均信号品質が同じか、またはほぼ同じになるように、オフセットを設定することができる。
【００８２】
ネットワークは、（データビットを含む）Ｅ−ＤＰＤＣＨ  ９２７、９４７のＳＩＲ（信号対干渉比（ｓｉｇｎａｌ−ｔｏ−ｉｎｔｅｒｆｅｒｅｎｃｅ  ｒａｔｉｏ））が、両方のアップリンク搬送波９２０、９４０でほぼ同じになるように、２つのアップリンク搬送波９２０、９４０に対して、基準Ｅ−ＴＦＣＩ（Ｅ−ＤＣＨトランスポートフォーマットコンビネーションインデックス（Ｅ−ＤＣＨ  ｔｒａｎｓｐｏｒｔ  ｆｏｒｍａｔ  ｃｏｍｂｉｎａｔｉｏｎ  ｉｎｄｅｘ））と対応する利得係数の異なる組を定義することができる。例えば、アップリンク搬送波１  ９２０のＤＰＣＣＨ  ＳＩＲが、平均で−２２ｄＢであり、一方、アップリンク搬送波２  ９４０のＤＰＣＣＨ  ＳＩＲが、平均で−１９ｄＢである場合、（基準Ｅ−ＴＦＣＩが同じならば）アップリンク搬送波２に対して基準利得係数を３ｄＢだけ低く設定することで、両方のアップリンク搬送波９２０、９４０および与えられたＥ−ＴＦＣに対して、ほぼ同じＥ−ＤＰＤＣＨ  ＳＩＲがもたらされる（アップリンク搬送波２  ９４０の基準利得係数は実際には、アップリンク搬送波１  ９２０を下回るように、３ｄＢよりもわずかに低く設定することができ、アップリンク搬送波２  ９４０を用いたより良いチャネル推定が与えられる）。
【００８３】
同期は、搬送波単位で定義することができる。ＷＴＲＵは、両方の搬送波に別々に同期手順を適用することができる。ＷＴＲＵには、搬送波上での同期ステータスに応じて、その搬送波上での送信を許可することができる。無線リンク障害は、両方の搬送波で同期が失われた場合に宣言することができる。
【００８４】
図９を依然として参照すると、Ｅ−ＴＦＣ制約および選択のための実施形態が、これ以降で説明される。ＷＴＲＵ送信は、最大許容送信電力によって制約を受けることがある。ＷＴＲＵの最大許容送信電力は、伝達された設定値とＷＴＲＵ設計制約によって許容される最大電力との小さい方とすることができる。ＷＴＲＵの最大許容送信電力は、与えられたＴＴＩ（送信時間間隔）における両方のアップリンク搬送波９２０、９４０についての合計の最大電力として設定することができ、または搬送波固有とすることができる。後者の場合、同じ最大電力値が、各アップリンク搬送波９２０、９４０に割り当てられることがあり、または異なる最大電力値が、各アップリンク搬送波９２０、９４０に割り当てられることがある。これは、デバイスの特定の構成（例えば、ＷＴＲＵの電力増幅器およびアンテナの数）に依存することがあり、ならびに／またはネットワーク制御および構成に依存することもある。合計の最大送信電力および搬送波毎の最大送信電力は、同時に設定することができる。
【００８５】
ＷＴＲＵ挙動および動作は、両方のケースで（すなわち、１つの合計の最大送信電力か、それとも独立の搬送波毎の最大送信電力かで）、まったく異なることがある。したがって、ＷＴＲＵは、ネットワークが、ＷＴＲＵが両方のアップリンク搬送波９２０、９４０についての合計の最大電力を有するか、それとも各アップリンク搬送波９２０、９４０についての搬送波固有の最大電力を有するかを知って、動作をスケジュールし、ＷＴＲＵによって報告されたアップリンクの電力ヘッドルーム（ｐｏｗｅｒ  ｈｅａｄｒｏｏｍ）を正しく解釈できるように、ＷＴＲＵの電力能力（１つの合計の最大電力か、それとも搬送波毎に定義された最大電力か）をネットワークに通知することができる。電力要件が規格で規定されている場合、ＷＴＲＵは、これらの能力を伝達する必要はない。
【００８６】
図１０には、２つのアップリンク搬送波を利用する場合の、Ｅ−ＴＦＣ選択およびＭＡＣ−ｉ  ＰＤＵ生成のためのプロセス１０００の一例のフロー図が示されている。上で言及したように、搬送波を指すための特定の用語は、本明細書では交換可能に使用されるが、ＨＳＰＡ＋タイプのシステムでは、２つの搬送波は、アンカー（すなわちプライマリ）搬送波および補助（すなわちセカンダリ）搬送波と呼ばれることがあり、図１０を説明する際には、これらの用語が便宜的に使用されることを指摘しておく。ＷＴＲＵは、次回のＴＴＩ中に送信される２つの（一般にはＮ個、Ｎは２以上の整数）新しい送信が存在するかどうかを判定する（ステップ５０２）。次回のＴＴＩ中に１つの新しい送信が存在する（例えば、１つの新しい送信と、先に失敗した送信の１つの再送が存在する）場合、ＷＴＲＵは、Ｅ−ＴＦＣ選択のためにアップリンク搬送波（新しい送信のための搬送波を）を選択し、新しい送信のためのＥ−ＴＦＣ選択手順を実行するが、新しい送信のためにサポートされるＥ−ＴＦＣＩは、再送によって使用される電力を減算した後に決定される（ステップ５１６）。送信される２つの新しい送信が存在する場合、ＷＴＲＵは、ＷＴＲＵが電力制限されているかどうか（すなわち、グラント（スケジュールされた、スケジュールされない）および制御チャネルが与えられた場合に各搬送波においてＷＴＲＵによって使用される合計電力の和が、任意選択的にバックオフ（ｂａｃｋｏｆｆ）も含む、ＷＴＲＵによって許可された最大電力を超えているか）を判定する（ステップ５０４）。電力制限されていない場合、プロセス５００は、ステップ５０８に進む。電力制限されている場合、ＷＴＲＵは、アップリンク搬送波の間で電力割り当てを実行する（ステップ５０６）。あるいは、ＷＴＲＵは、電力制限されているかどうかをチェックすることなく、搬送波の間での電力割り当てのために、ステップ５０６に進むこともできる。電力割り当てが実行されると、ＷＴＲＵは、一方の搬送波の後に他方の搬送波というように順番に、トランスポートブロックを満たす。
【００８７】
ＷＴＲＵは、優先度が最も高い送信されるデータを有するＭＡＣ−ｄフローを決定し、選択されたＭＡＣ−ｄフローのＨＡＲＱプロファイル（ＨＡＲＱ  ｐｒｏｆｉｌｅ）に基づいて、使用する多重化リスト（ｍｕｌｔｉｐｌｅｘｉｎｇ  ｌｉｓｔ）および電力オフセットを決定する（ステップ５０８）。優先度が最も高いＭＡＣ−ｄフローを決定するとき、ＷＴＲＵは、すべての搬送波について、すべてのＭＡＣ−ｄフローのうちで、利用可能なデータを有するように構成された優先度が最も高いＭＡＣ−ｄフローを決定することができる。一代替実施形態では、ＷＴＲＵは、Ｅ−ＴＦＣ選択または優先度が最も高いＭＡＣ−ｄフローの選択が実行されるすべての搬送波について、与えられた搬送波上での送信を許可されたすべてのＭＡＣ−ｄフローのうちで、優先度が最も高いＭＡＣ−ｄフローを決定することができる。ＷＴＲＵは、複数のアップリンク搬送波のうちで最初にデータで満たすアップリンク搬送波を選択するために、アップリンク搬送波選択手順を実行する（ステップ５１０）。搬送波選択、ＭＡＣ−ｄフロー決定のステップは、必ずしも説明された順序で実行されなくてよく、任意の順序で実行できることに留意されたい。ＷＴＲＵは、Ｅ−ＴＦＣＩを選択し、またはサポートされる最大ペイロード（すなわち、１組のサポートされるＥ−ＴＦＣＩ）、残余のスケジュールされたグラントペイロード、残余のスケジュールされないグラントペイロード、データ可用性、および論理チャネル優先度に基づいて、選択された搬送波上で送信できるビットの数を決定する（ステップ５１１）。
【００８８】
ＷＴＲＵは、選択されたＥ−ＴＦＣに基づいて、選択された搬送波を介するＥ−ＤＣＨ送信のためのＭＡＣ−ｅまたはＭＡＣ−ｉ  ＰＤＵを生成する（ステップ５１２）。選択された搬送波のためにＳＩ（スケジューリング情報（ｓｃｈｅｄｕｌｉｎｇ  ｉｎｆｏｒｍａｔｉｏｎ））を送信する必要がある場合、ＷＴＲＵは、他の任意のデータを含める前に、この搬送波上に最初にＳＩを含めることができる。ＷＴＲＵが選択された搬送波上の利用可能なスペースを使い尽くした場合、またはＴＴＩ中での送信を許可されたバッファからデータがあふれた場合、ＷＴＲＵは、利用可能な別のアップリンク搬送波が存在するかどうか、またデータがまだ利用可能であるかどうかを判定する（ステップ５１４）。否定的な判定の場合、プロセス５００は終了する。肯定的な判定の場合、プロセス５００は、次の搬送波のＥ−ＴＦＣＩを選択するために、ステップ５１０に（または代替としてステップ５０８に）戻る。
【００８９】
この時点で（ステップ５０８において）、ＷＴＲＵは、任意選択的に、送信されるデータを有する優先度が最も高いＭＡＣ−ｄフローを再決定することができる。再選択された優先度が最も高いＭＡＣ−ｄフローは、先に選択された搬送波を満たす前に最初に決定されたＭＡＣ−ｄフローと異なってよい。最も高いＭＡＣ−ｄフローが新たに選択された場合、ＷＴＲＵは、新たに選択されたＭＡＣ−ｄフローのＨＡＲＱプロファイルに基づいて、電力オフセットを決定し、その後、新しい電力オフセットに従って、サポートされる最大ペイロード（または１組のサポートされるＥ−ＴＦＣ）および残余のスケジュールされたグラントペイロードを決定することができる。あるいは、ＷＴＲＵは、手順（例えばステップ５０８）の開始時に一度だけ、ＭＡＣ−ｄフロー優先度を決定し、選択されたＨＡＲＱプロファイルおよび多重化リストを両方の搬送波に適用することができる。これは、ＷＴＲＵが、両方の搬送波についてのサポートされる最大ペイロード（またはサポートされるＥ−ＴＦＣおよび残余のスケジュールされたペイロード）を、並列して同時に、またはＥ−ＴＦＣ選択シーケンスに従ってこれらの値が必要とされるときにのみ決定することを暗に示唆する。この場合、２番目に選択された搬送波のために、ＷＴＲＵは、ステップ５１０に戻ることができる。プロセス５００は、３つ以上のアップリンク搬送波が利用される場合にも適用可能であることに留意されたい。
【００９０】
電力割り当て、搬送波選択、ならびにＥ−ＴＦＣ制約および選択の詳細が、以下で説明される。
【００９１】
サポートされる最大ペイロードとは、任意のアップリンク搬送波のために利用可能な電力に基づいて送信できるビットの最大許容数のことである。これは、一例として、サポートされる最大Ｅ−ＴＦＣＩとも呼ばれることがある。例えば、ＨＳＰＡシステムでは、サポートされる最大ペイロード、または１組のサポートもしくはブロックされるＥ−ＴＦＣＩは、Ｅ−ＴＦＣ制約手順の一部として決定され、選択されたＨＡＲＱオフセットに依存し得る。加えて、１組のサポートされるＥ−ＴＦＣＩは、最小セットのＥ−ＴＦＣＩにも依存し得る。Ｅ−ＴＦＣ制約およびサポート／ブロックされるＥ−ＴＦＣＩの決定のための実施形態が、以下で説明される。
【００９２】
これ以降で言及される場合、ＭＡＣ−ｄフローとは、論理チャネル、論理チャネルのグループ、データフロー、データストリーム、もしくはデータサービス、または任意のＭＡＣフロー、アプリケーションフローなどのことでもあり得る。本明細書で説明されるすべての概念は、他のデータフローにも等しく適用可能である。例えば、Ｅ−ＤＣＨのためのＨＳＰＡシステムでは、各ＭＡＣ−ｄフローは、論理チャネルに関連付けられ（例えば、１対１マッピングが存在し）、それに関連付けられた１から８までの優先度を有する。
【００９３】
一般に、アップリンク送信およびデータ送信のために使用されるスケジューリングメカニズムが存在する。スケジューリングメカニズムは、ＱｏＳ（サービス品質）要件および／または送信されるデータストリームの優先度によって定義することができる。ＱｏＳおよび／またはデータストリームの優先度に応じて、データストリームのいくつかは、多重化されて、１つのＴＴＩ中に一緒に送信される許可を得ることができ、または得ることができない。一般に、データフローおよびストリームは、ベストエフォートか、それとも非リアルタイムサービスかでグループ化することができ、いくつかの厳格な遅延要件を有するビットレートサービスを保証される。ＱｏＳ要件を満たすため、異なるスケジューリングメカニズムが使用され、あるメカニズムは本質的に動的であり、あるメカニズムはあまり動的ではない。
【００９４】
一般に、ＬＴＥおよびＨＳＵＰＡ（高速アップリンクパケットアクセス（ｈｉｇｈ  ｓｐｅｅｄ  ｕｐｌｉｎｋ  ｐａｃｋｅｔ  ａｃｃｅｓｓ））などのワイヤレスシステムは、要求−許可ベースで動作し、ＷＴＲＵは、アップリンクフィードバックを介して、データを送信する許可を要求し、ノードＢ（ｅＮＢ）スケジューラおよび／またはＲＮＣは、いつ、いくつのＷＴＲＵがデータを送信する許可を得るかを決定する。これ以降、これは、スケジュールされたモード送信（ｓｃｈｅｄｕｌｅｄ  ｍｏｄｅ  ｔｒａｎｓｍｉｓｓｉｏｎ）と呼ばれる。例えば、ＨＳＰＡシステムでは、送信の要求は、ＷＴＲＵ内にバッファされたデータの量を示す指示、およびＷＴＲＵの利用可能な電力余裕（すなわち、ＵＰＨ（ＵＥ電力ヘッドルーム（ＵＥ  ｐｏｗｅｒ  ｈｅａｄｒｏｏｍ）））を含む。スケジュールされた送信のために使用できる電力は、ノードＢによって、絶対グラントおよび相対グラントを通して動的に制御される。
【００９５】
ＶｏＩＰ（ボイスオーバＩＰ（ｖｏｉｃｅ  ｏｖｅｒ  ＩＰ））もしくはシグナリング無線ベアラ、または厳格な遅延要件を満たす必要がある他の任意のサービスなど、厳格な遅延要件および保証されたビットレートを有するいくつかのデータストリームの場合、ネットワークは、本質的にあまり動的ではない特別なスケジューリングメカニズムを介して、そのような送信のタイムリな配送を保証することができ、事前スケジュールされた期間およびリソースにおいて、最大で設定されたデータレートまで、ＷＴＲＵが特定のフローからのデータを送信することを可能にすることができる。例えば、ＨＳＰＡなどの、いくつかのシステムにおけるこれらのフローは、スケジュールされないフロー（ｎｏｎ−ｓｃｈｅｄｕｌｅｄ  ｆｌｏｗ）と呼ばれる。ＬＴＥなどの他のシステムでは、それらは、準永続的スケジューリングおよび準永続的フローと呼ばれることがある。本明細書で説明される実施形態は、スケジュールされたおよびスケジュールされないデータに関して説明されるが、それらは、類似のスケジューリング手順およびデータフロー間の区別を使用する他のシステムにも等しく適用可能であることを理解されたい。
【００９６】
ある送信および可能な再送にリソースを割り当てるために制御チャネルが使用される動的スケジューリングは、リソース割り当てを最適化するための完全な柔軟性を与える。しかし、それは、制御チャネル容量を必要とする。制御チャネル制限問題を回避するため、ＬＴＥなどのシステムでは、ＳＰＳ（準永続的スケジューリング（ｓｅｍｉ−ｐｅｒｓｉｓｔｅｎｔ  ｓｃｈｅｄｕｌｉｎｇ））を使用することができ、ＵＭＴＳなどのシステムでは、スケジュールされない送信を使用することができる。動的スケジューリングまたは（例えば、物理チャネル制御シグナリングを介する）動的グラントベースのメカニズムを使用するフローは、スケジュールされた送信と呼ばれる。リソースのより準静的で定期的な割り当てを使用するデータストリームは、スケジュールされない送信と呼ばれる。
【００９７】
例えば、ＨＳＰＡでは、各ＭＡＣ−ｄフローは、スケジュールされたまたはスケジュールされないモードの送信を使用するように構成され、ＷＴＲＵは、スケジュールされたフローまたはスケジュールされないフローのためのデータレートを独立に調整する。各スケジュールされないフローの最大データレートは、より高位の層によって設定され、一般に、頻繁には変更されない。
【００９８】
Ｅ−ＴＦＣ選択手順では、ＷＴＲＵは、スケジュールされないグラントを有する各ＭＡＣ−ｄフローについての残余のスケジュールされないグラントペイロードも決定することができ、それは、与えられたＭＡＣ−ｄフローについて設定されたスケジュールされないグラントに従って送信を許可されたビットの数のことであり、それに対応する。
【００９９】
上の手順における残余のスケジュールされたグラントペイロードとは、他方のチャネルに対する電力割り当ての後で、ネットワークにより割り当てられたリソースに従って送信できる最も高いペイロードのことである。例えば、ネットワークにより割り当てられたリソースとは、ＨＳＰＡシステムの場合、対応する搬送波の、サービンググラントおよび選択された電力オフセットのことである。アップリンク搬送波についての残余のスケジュールされたグラントペイロードを計算するために使用されるサービンググラントの値は、アップリンク搬送波に割り当てられた実際のサービンググラントの値に基づくことができる。あるいは、プライマリ搬送波および／またはセカンダリ搬送波についての残余のスケジュールされたグラントペイロードは、電力割り当てが実行された後のスケーリングされたグラントまたは架空（ｆｉｃｔｉｔｉｏｕｓ）もしくは仮想（ｖｉｒｔｕａｌ）グラントに基づくことができるので、ＷＴＲＵは、残余のスケジュールされたグラントペイロードを決定するために、「仮想」もしくは「架空」サービンググラントまたはスケーリングされたサービンググラントを使用することができる。３つの用語は、交換可能に使用することができ、各搬送波についてのスケジュールされた送信のための電力割り当てまたは電力分割のことを指す。グラントのスケーリングは、以下で電力割り当て方式の一部として説明される。あるいは、ＷＴＲＵが両方のアップリンク搬送波のために１つのサービンググラントを共用する（すなわち、両方のアップリンク搬送波のために１つのサービンググラントが与えられる）場合、ＷＴＲＵは、サービンググラントの半分を各アップリンク搬送波に対して使用することができる。あるいは、ＷＴＲＵは、この計算を実行するときに、すべてのサービンググラントが一方のアップリンク搬送波に割り当てられると仮定することができる。
【０１００】
スケジュールされないグラントは、搬送波固有とすることができる（例えば、設定されたスケジュールされないグラントの値は、スケジュールされない送信が許可された、ただ１つの搬送波のために割り当てられ、設定される）。スケジュールされない送信が構成／許可される搬送波は、事前に決定することができる（例えば、スケジュールされない送信は、プライマリ搬送波上でのみ、または代替としてセカンダリ搬送波上で許可することができる）。あるいは、そのような搬送波は、ネットワークによって動的に構成することができる。スケジュールされないグラントの値は、搬送波独立とすることができ、その場合、両方の搬送波に対して、合計数が決定される。
【０１０１】
データフローは、搬送波固有となるように構成することができる（例えば、ネットワークが、フローおよびこのフローを送信できる関連する搬送波を構成する）。データフローが搬送波固有である場合、ＷＴＲＵは、各搬送波に対して独立に、Ｅ−ＴＦＣ選択手順を実行することができる。ネットワークは、搬送波に属するＨＡＲＱプロセスに基づいて、スケジュールされないグラントを提供することができ、またはＴＴＩに適用可能なスケジュールされないグラントを提供することができ、ＷＴＲＵは、搬送波を選択する。
【０１０２】
初期Ｅ−ＴＦＣ選択のためにアップリンク搬送波を選択するための実施形態が、これ以降で開示される。以下で説明される搬送波選択のための実施形態は、単独で、または本明細書で開示される他の任意の実施形態と組み合わせて実行することができる。各アップリンク搬送波で送信されるビットの数、および各アップリンク搬送波で使用する電力などの選択に影響する手順はすべて、ＷＴＲＵがどのアップリンク搬送波を最初に選択し、処理するかに依存する。
【０１０３】
一実施形態によれば、ＷＴＲＵは、アンカー搬送波に優先権を与え、それを最初に処理することができる。これは、スケジュールされない送信がアンカー搬送波において許可される場合に望ましいことがある。あるいは、セカンダリ搬送波に優先権を与え、それを最初に選択することができる。
【０１０４】
あるいは、ＷＴＲＵは、セル間干渉を最小化し、ＷＴＲＵのバッテリ寿命を最大化し、および／またはビット送信当たり最も効率的なエネルギーを提供するように、優先度が最も高い搬送波を決定することができる。より具体的には、ＷＴＲＵは、最大の計算された搬送波電力ヘッドルームを有するアップリンク搬送波を選択することができる。ＷＴＲＵは、各搬送波についての現在の電力ヘッドルーム（例えば、ＵＰＨ（ＵＥ電力ヘッドルーム））の測定に基づいて（ＵＰＨは、最大ＷＴＲＵ送信電力と対応するＤＰＣＣＨ符号電力の比を表す）、または最低のＤＰＣＣＨ電力（ＰDPCCH）を有する搬送波に等価的に変換される、Ｅ−ＴＦＣ制約手順の結果（例えば、各搬送波についてのＮＲＰＭ（正規化残余電力余裕（ｎｏｒｍａｌｉｚｅｄ  ｒｅｍａｉｎｉｎｇ  ｐｏｗｅｒ  ｍａｒｇｉｎ））計算もしくは残余電力）に基づいて、この決定を行うことができる。例えば、アップリンク搬送波選択は、ビットの数に関して行うことができる（例えば、アンカー搬送波と補助搬送波のうちでより大きな「サポートされる最大ペイロード」を提供する搬送波に優先権を与えることができる）。サポートされる最大ペイロードは、ＷＴＲＵの残余電力（例えば、ＮＲＰＭまたは以下で開示される他の値）に基づいて決定されるペイロードである。
【０１０５】
あるいは、ＷＴＲＵは、最も大きい利用可能なグラントをＷＴＲＵに提供するアップリンク搬送波に優先権を与えることができ、このことは、ＷＴＲＵが、最も大量のデータを送信し、おそらくは最も少数のＰＤＵを生成することを可能にし、したがって、効率を向上させ、オーバヘッドを低下させることを可能にする。ＷＴＲＵは、アンカー搬送波のためのサービンググラント（ＳＧａ）と補助搬送波のためのサービンググラント（ＳＧｓ）との大きい方の値に基づいて、搬送波を選択することができる。
【０１０６】
あるいは、ＷＴＲＵは、アンカー搬送波と補助搬送波とのうちでより大きな「残余スケジュールされたグラントペイロード」を提供する搬送波に優先権を提供することができる。残余のスケジュールされたグラントペイロードは、ネットワークからのスケジューリンググラントに基づいて決定され、ＤＣＨおよびＨＳ−ＤＰＣＣＨの処理の後に残った利用可能なペイロードである。
【０１０７】
あるいは、ＷＴＲＵは、最大電力と最大グラントとの間で最適化を行うことができる。より具体的には、ＷＴＲＵは、最も多数のビットが送信されることを可能にする搬送波を選択することができる。ＷＴＲＵは、電力およびグラントの両方によって制限される、アンカー搬送波および補助搬送波についての送信できるビットの数（すなわち、アンカー搬送波についての「利用可能なペイロード」および補助搬送波についての「利用可能なペイロード」）を決定し、最も高い利用可能なペイロードを提供する搬送波を選択することができる。利用可能なペイロードは、残余のスケジュールされたグラントペイロードとサポートされる最大ペイロードとの小さい方として決定することができる。
【０１０８】
任意選択的に、利用可能なペイロードを計算するときに、多重化できる各ＭＡＣ−ｄフロー（または利用可能なデータを有することができるすべてのスケジュールされないＭＡＣ−ｄフロー）についての「残余のスケジュールされたグラントペイロード」の和を考慮することもできる。より具体的には、利用可能なペイロードは、（残余のスケジュールされたグラントペイロード＋ＳＵＭ（許容されるすべてのスケジュールされないフローについての残余のスケジュールされないペイロード））とサポートされる最大ペイロードとの小さい方として決定することができる。スケジュールされないフローが一方の搬送波のみで（例えば、アンカー搬送波のみで）許可される場合、アンカー搬送波について利用可能なペイロードが考慮される。
【０１０９】
スケジュールされないグラントが搬送波毎に提供される場合、またはスケジュールされない送信が一方の搬送波において許可される場合、ＷＴＲＵは、そのＴＴＩ中に送信される中で優先度が最も高いスケジュールされないＭＡＣ−ｄフローを含む搬送波、またはスケジュールされないＭＡＣ−ｄフローを許可する搬送波に優先権を与えることができる。例えば、スケジュールされない送信がプライマリ搬送波においてのみ許可され、与えられたＨＡＲＱプロセスについて、ＷＴＲＵがスケジュールされないデータを有するように構成され、データが利用可能である場合、ＷＴＲＵは、プライマリ搬送波に優先権を与える（すなわち、最初にプライマリ搬送波を満たす）ことができる。与えられたＴＴＩにおいて、優先度が最も高いＭＡＣ−ｄフローが、スケジュールされないフローに対応しないが、スケジュールされないフローが、選択された優先度が最も高いＭＡＣ−ｄフローと多重化されることを許可される場合、ＷＴＲＵは依然として、スケジュールされない送信を許可する搬送波に優先権を与えることができる。したがって、現在のＴＴＩにおいて、何らかのスケジュールされないフローが送信されることを許可され、スケジュールされないデータが利用可能である場合、ＷＴＲＵは、スケジュールされないフローの送信を許可する搬送波を最初に満たすことができる。ＷＴＲＵは、設定された論理チャネル優先度に従って、利用可能な電力および／またはグラントまで、選択された搬送波をスケジュールされないまたはスケジュールされたデータで満たす。その後、残りの搬送波について、データ、電力、およびグラントが利用可能である場合、残りの搬送波（複数可）が満たされる。
【０１１０】
あるいは、ＷＴＲＵは、各搬送波におけるＣＰＩＣＨ測定およびＨＡＲＱ誤り率などの１つまたは組合せに基づいて、搬送波を選択する決定を行うことができる。
【０１１１】
独立の最大電力制限のためのＥ−ＴＦＣ選択についての実施形態の例が、これ以降で説明される。ＷＴＲＵは、特定のデバイス構成または設計に依存し得る、搬送波毎に異なる送信電力および最大許容電力を有することができる。これは、実装設計に依存し（例えば、ＷＴＲＵは、２つの異なる電力増幅器および２つの異なるアンテナを備えるように設計することができる）、ならびに／またはネットワーク制御および構成に依存する。以下で説明されるように、ＷＴＲＵが、搬送波の間で事前に電力を割り当てる場合、または並列して電力を割り当てる場合にも、それは適用可能である。これらの状況では、各搬送波によって使用できる最大電力または利用可能な電力は、搬送波毎に割り当てられた電力に対応する。実施形態は、電力が搬送波の間で共有されるが、搬送波を満たす前に、電力が搬送波の間で割り当てられる、またはスケーリングされる場合にも適用可能である。
【０１１２】
電力が事前に割り当てられるか、または電力の最大量が各搬送波において独立である場合、より高位の層の適切な動作を可能にするにはＲＬＣ  ＰＤＵの配送順序が維持されなければならないという事実のために、ＭＡＣ  ＰＤＵは、順番に満たされなければならないことがある。加えて、ＷＴＲＵは、バッファ制限されることがあり、そのような場合、一方の搬送波を介して送信するのに十分なデータを利用可能にすることができる。
【０１１３】
この状況では、ＷＴＲＵは、上で説明された実施形態のうちの１つに基づいて、優先度が最も高い搬送波Ｐ１を最初に選択することができる。例えば、ＷＴＲＵは、より大きな電力ヘッドルームを有する搬送波を、等価的により小さなＤＰＣＣＨ電力を有する搬送波を選択して、最初にデータで満たすことができ、またはプライマリ搬送波もしくはセカンダリ搬送波を最初に満たすことができる。これは、バッファ制限されたＷＴＲＵであっても、そのデータの大部分または優先度が最も高いデータを、最良のチャネル品質を有する搬送波を介して、またはスケジュールされない送信など、優先度が最も高いデータの送信を可能にする搬送波を介して送信することを可能にする。
【０１１４】
優先度が最も高いＭＡＣ−ｄフロー、関連するＨＡＲＱプロファイル、および多重化リストに従って、その後、ＷＴＲＵは、「サポートされる最大ペイロードｐ１」、「残余のスケジュールされたグラントペイロードｐ１」、および選択された搬送波Ｐ１において許可され、設定される場合は、残余のスケジュールされないグラントペイロードに応じて、搬送波ｐ１のトランスポートブロック上の利用可能なスペースを満たす（すなわち、搬送波ｐ１上で送信されるＭＡＣ−ｅまたはＭＡＣ−ｉを生成する）。先に言及したように、これは、許容される電力、許容されるスケジュールされたグラント、および許容される非サービンググラントにそれぞれ従って送信できるビットの数に対応する。この状況では、許容される電力および許容されるグラントは、各搬送波の電力および／もしくはグラントの、または設定された電力もしくはグラントのスケーリングされた値に対応することができる。これは、電力またはグラントが２つの搬送波の間で潜在的に分割される、または並列に割り当てられる場合に行うことができる。ＳＩが送信される必要がある場合、ＷＴＲＵは、搬送波ｐ１においてＳＩを送信することができ、またはその代わりに、ＳＩを送信するように構成された搬送波においてＳＩを送信することができる。
【０１１５】
ＷＴＲＵは、搬送波ｐ１上の利用可能なスペースを使い尽くすと、その後、次の搬送波を満たす。この時点で、ＷＴＲＵは、送信されるデータを有し、処理される搬送波において許可された中で、優先度が最も高いＭＡＣ−ｄフローを再決定することができる。この時点で、優先度が最も高いＭＡＣ−ｄフローは、搬送波ｐ１が満たされる前に、最初に決定されたＭＡＣ−ｄフローと異なってよい。
【０１１６】
優先度が最も高いＭＡＣ−ｄフローを決定する場合、ＷＴＲＵは、すべての搬送波について、すべてのＭＡＣ−ｄフローの中で、利用可能なデータを有するように構成された優先度が最も高いＭＡＣ−ｄフローを決定することができる。一代替実施形態では、ＷＴＲＵは、Ｅ−ＴＦＣ選択または優先度が最も高いＭＡＣ−ｄフロー選択が実行されるすべての搬送波について、与えられた搬送波上での送信を許可されたすべてのＭＡＣ−ｄフローの中で、優先度が最も高いＭＡＣ−ｄフローを決定することができる。
【０１１７】
優先度が最も高いＭＡＣ−ｄフローを決定するときに、Ｅ−ＴＦＣ選択が実行される搬送波が、あるタイプのＭＡＣ−ｄフローを許容しない場合、ＷＴＲＵは、与えられた搬送波上での送信を許可されないＭＡＣ−ｄフローについて検討することができない。例えば、ＷＴＲＵが第２の搬送波についてＥ−ＴＦＣ選択を実行する場合、ＷＴＲＵは、優先度が最も高いＭＡＣ−ｄフローの選択においてスケジュールされないＭＡＣ−ｄフローを含めないことがある。そのため、スケジュールされないＭＡＣ−ｄフローが利用可能なデータを有し、設定された最も高いＭＡＣ−ｄ優先度を有する場合、ＷＴＲＵは、このＭＡＣ−ｄフローを優先度が最も高いＭＡＣ−ｄフローとして使用することができず、その搬送波のためのＴＴＩの間、ＨＡＲＱプロファイル、電力オフセットおよびＨＡＲＱ再送、ならびに多重化リストを使用することができない。具体的な例として、ＨＳＰＡデュアルキャリアＵＬの場合、第２の搬送波を処理する場合、ＷＴＲＵは、すべてのスケジュールされたＭＡＣ−ｄフローの中で優先度が最も高いＭＡＣ−ｄフローを決定することができる。
【０１１８】
最も高いＭＡＣ−ｄフローが決定されると、ＷＴＲＵは、新しい搬送波のために使用される選択されたＭＡＣ−ｄフローのＨＡＲＱプロファイルに基づいて、このＴＴＩにおいて多重化できる新たに割り当てられたＭＡＣ−ｄフロー、および電力オフセットを決定する。その後、ＷＴＲＵは、新しい電力オフセットに従って、サポートされる最大ペイロードおよび残余のスケジュールされたグラントペイロードを決定することができ、利用可能なデータがあれば、搬送波をしかるべく満たすことができる。
【０１１９】
あるいは、ＷＴＲＵは、Ｅ−ＴＦＣ選択手順の開始時に、または搬送波を満たす前に、両方の搬送波について、サポートされる最大ペイロードおよび残余のスケジュールされたペイロードを決定することができ、これは、ＷＴＲＵが、その最初に選択された最も高いＭＡＣ−ｄフローからのデータが両方の搬送波上で送信されるかどうかに関係なく、両方の搬送波に対して同じ電力オフセットを使用できることを暗に示唆する。この場合、多重化リストは、両方の搬送波で同じままであり、それらの論理チャネルから十分なデータが利用可能でない場合に、制限ファクタとすることができるが、ＷＴＲＵは、他の論理チャネルの送信のために利用可能なより多くの電力およびグラントを有する。
【０１２０】
（上述のように決定し、順番に満たすことができる）搬送波ｐ１がデータで満たされると、ＷＴＲＵは、直ちに他方の搬送波に移り、それをデータで満たし続ける。
【０１２１】
あるいは、搬送波は、並列して満たすことができ、これは、許容されるすべての論理チャネルからのデータが２つの搬送波の間で分割されることを暗に示唆する。順番が乱れた配送を回避するため、データまたはＲＬＣバッファを分割しなければならない。例えば、ＳＮ０からＳＮ９を有する１０個のＲＬＣ  ＰＤＵが利用可能である場合、ＲＬＣ  ＰＤＵの０から４は、搬送波１に送られ、５から９は、搬送波２に送られる。その後、スペースがまだ残っている場合、ＷＴＲＵは、次の論理チャネルに移り、バッファが、再び同様に分割される。
【０１２２】
あるいは、Ｅ−ＴＦＣおよび搬送波フィリングは、並列に実行することができるが、各搬送波は、異なる論理チャネルからデータを取得する。これは、ＷＴＲＵが、優先度が最も高い２つのＭＡＣ−ｄフローを選択し、各々についてのＨＡＲＱプロファイルおよび各々についての多重化リストを決定し、それらを２つの個々の搬送波にマッピングすることを暗に示唆する。これは、順番が乱れたＲＬＣ配送を引き起こすおそれなしに、ＷＴＲＵが、並列してフィリングを行い、Ｅ−ＴＦＣを実行することを可能にする。しかし、これは、最も高い論理チャネルからのデータがまだ利用可能であるのに、搬送波が満杯であるため、ＷＴＲＵがそのようなデータをもはや送信できない状況を生じさせることがある。
【０１２３】
別の実施形態では、データフローは、搬送波固有とすることができる。この場合、ＷＴＲＵは、各搬送波について独立にＥ−ＴＦＣ選択手順を実行することができる。
【０１２４】
合計の結合された最大電力限界に関するＥ−ＴＦＣ選択についての実施形態の例が、これ以降で説明される。この実施形態の態様のいくつかは、２つの搬送波の間で電力が並列に割り当てられるか、または何らかの形態の動的電力割り当てが実行される場合、上で説明されたように適用可能とすることもできる。
【０１２５】
順次的な手法では、ＷＴＲＵ最大電力が両方の搬送波の間で共有される場合、ＷＴＲＵは、上で説明された実施形態のうちの１つを使用して、優先度が最も高い搬送波（Ｐ１）を最初に選択することができる。Ｅ−ＴＦＣ制約および選択は、依然として順次的に実行することができ、利用可能な電力および使用されるグラントは、割り当てられたまたはスケーリングされた電力またはグラントに等しい。
【０１２６】
優先度が最も高い搬送波を選択すると、ＷＴＲＵは、Ｅ−ＴＦＣ選択および制約手順を実行し、優先度が最も高いＭＡＣ−ｄフローが選択され、電力オフセット、サポートされる最大ペイロードｐ１が決定され、搬送波Ｐ１のサービンググラントに従って、利用可能なスケジュールされたペイロードが選択され、利用可能なスケジュールされないペイロードが選択される。ＳＩを送信する必要がある場合、ＳＩは、最初に選択された搬送波とともに処理することができ、またはその代わりに、ＳＩを送信することが許可された搬送波上で処理することができる。この場合、ＷＴＲＵは、上で説明されたような順次的なＥ−ＴＦＣ制約手順を実行することができ、ＷＴＲＵは、すべての電力が搬送波Ｐ１によって使用するために利用可能であることを仮定し、セカンダリ搬送波上ではデータが送信されないことを仮定する。ＷＴＲＵは、Ｅ−ＴＦＣ選択に従って、この搬送波上で送信されるＭＡＣ−ｅまたはＭＡＣ−ｉ  ＰＤＵを生成する。あるいは、ＳＩが一方の搬送波のみ（すなわち、アンカー搬送波のみ）において送信される場合、ＳＩが送信される搬送波に対してＥ−ＴＦＣを実行するとき、Ｅ−ＴＦＣ選択は、それを考慮する。
【０１２７】
選択された搬送波についてのサポートされる最大ペイロード（すなわち、Ｅ−ＴＦＣ制約）は、例えば、ＮＲＰＭ計算に従って決定することができる。搬送波ｘにおいてＷＴＲＵが再送を有する場合、搬送波ｘに対して、Ｅ−ＴＦＣ選択は実行されない。ＷＴＲＵは、Ｅ−ＴＦＣ選択を実行し、残りの搬送波である搬送波ｙについてのＭＡＣ−ｉまたはＭＡＣ−ｅ  ＰＤＵを生成する。
【０１２８】
その後、ＷＴＲＵは、残りの搬送波についてＭＡＣ−ｅまたはＭＡＣ−ｉ  ＰＤＵを生成しなければならない。この時点で、ＷＴＲＵは、選択されたＭＡＣ−ｄフローのＨＡＲＱプロファイルおよびＭＡＣ−ｄフローの多重化リストに基づいて、送信されるデータを有する優先度が最も高いＭＡＣ−ｄフロー、および電力オフセットを再決定（または搬送波ｘ上で再送が進行中である場合は初めて決定）することができる。あるいは、ＷＴＲＵは、手順において最初に決定されたのと同じ電力オフセットを使用する。
【０１２９】
その後、ＷＴＲＵは、この第２の搬送波に対してＥ−ＴＦＣ制約手順を実行する。ＷＴＲＵは、最初の搬送波で使用される電力を考慮することができ、サポートされる最大ペイロードを計算するとき、または１組のサポートされるＥ−ＴＦＣＩを決定するとき、残余の利用可能な電力が使用される。あるいは、ＷＴＲＵは、２つの新しい送信が行われるとき、または他方の搬送波におけるＨＡＲＱ再送のために１つの新しい送信が行われるとき、第２の搬送波（すなわち、２番目に選択された搬送波）に対してＥ−ＴＦＣ制約を実行する前に、「バックオフ電力」（すなわち、ＷＴＲＵが同じＴＴＩにおいて２つの搬送波上で送信を行うときに経験される特定の電力損失）を減算することができる。
本明細書で説明されるこれらの実施形態では、ＷＴＲＵは、データを送信する必要がないと決定された場合、ＤＰＣＣＨを送信しないように構成することができる。ＷＴＲＵは、最大電力が搬送波毎に割り当てられるときに、十分な電力を有さない場合、第２の搬送波上でいかなるデータも送信しないように構成することもできる。例えば、搬送波の一方が十分な電力を有さない場合、ＷＴＲＵは、最小セットのＥ−ＴＦＣＩを使用する代わりに、一方の搬送波（最も大きなＵＰＨまたは最も大きなＮＲＰＭを有する搬送波）を使用して、送信を行うことができ、またはその代わりに、ＷＴＲＵは、両方が十分な電力を有さない場合、搬送波の一方において送信を行うことができない。ＷＴＲＵは、搬送波の一方において最小セットを使用することができ、第２の搬送波上では送信を行うことができない。
【０１３０】
その後、決定されたサポートされる最大ペイロード、（この搬送波のサービンググラントに従う）利用可能なスケジュールされたペイロード、および妥当な場合は、利用可能なスケジュールされないペイロードに従って、ＭＡＣ−ｉまたはＭＡＣ−ｅ  ＰＤＵが満たされる。
【０１３１】
別の実施形態では、ＷＴＲＵは、各搬送波における（すべてのＵＬチャネル、すなわち、ＤＰＣＣＨ、Ｅ−ＤＰＣＣＨ、ＨＳ−ＤＰＣＣＨ、Ｅ−ＤＰＤＣＨ上での）送信電力が同じになるか、または２つの間の差が事前設定された最大値よりも小さくなるような方法で、各搬送波においてＥ−ＴＦＣを選択することができる。これは、例えば、各搬送波におけるＤＰＣＣＨおよび他のチャネルの送信電力が与えられた場合に、与えられた送信電力レベルに対して、どのＥ−ＴＦＣが各搬送波上で送信できるかを計算することによって、達成することができる。例えば、ＤＰＣＣＨ電力レベルが、例えば、搬送波１および２においてそれぞれ７ｄＢｍおよび１０ｄＢｍであり、ＨＳ−ＤＰＣＣＨおよびＥ−ＤＰＣＣＨの電力レベルが各々、ＤＰＣＣＨの電力レベルよりも−３ｄＢ下回ると仮定すると、各搬送波における送信電力レベルが１８ｄＢｍである場合、各搬送波における電力ヘッドルームは、それぞれ８ｄＢおよび５ｄＢであり、対応するＥ−ＴＦＣサイズは、６００ビットおよび３００ビットとすることができる。したがって、ＷＴＲＵは、搬送波１では６００ビットのＥ−ＴＦＣを、搬送波２では３００ビットのＥ−ＴＦＣを選択することによって、両方の搬送波上で（１８ｄＢｍの）等しい電力を用いて送信を行うことができる。
【０１３２】
この原理は、異なるケースにも適用することができる。ＷＴＲＵ送信が最大ＵＬ電力によって制限される場合、ＷＴＲＵは、最大ＵＬ電力を２つの搬送波の間で等しく分割し（したがって、各搬送波で利用可能なＵＬ電力は最大を３ｄＢ下回る）、上で開示された方法を使用して、各搬送波においてサポートされる最大Ｅ−ＴＦＣを決定することによって、各搬送波においてＥ−ＴＦＣを選択することができる。ＷＴＲＵ送信がＷＴＲＵバッファ内のデータ量によって制限される場合、ＷＴＲＵは、各搬送波上で結果のＥ−ＴＦＣを用いて送信できるデータの量がバッファ内のデータの量と一致するように、両方の搬送波の送信電力レベルを求めることができる。
【０１３３】
別の実施形態では、ＷＴＲＵは、各搬送波上で被る干渉負荷が同じか、ほぼ同じになるような方法で、各搬送波におけるＥ−ＴＦＣを選択することができる。搬送波上で被る干渉負荷は、例えば、スケジューリングのために使用される電力比に対応する、Ｅ−ＤＰＤＣＨ電力とＤＰＣＣＨ電力の電力比として推定することができる。したがって、両方の搬送波においてスケジューリンググラントおよび電力ヘッドルームが十分である場合、ＷＴＲＵは、グラントに基づいてＷＴＲＵバッファから何バイトを送信できるかを決定することによって、またこのバイト数を２で除算し、適切なＭＡＣヘッダを適用することで、各搬送波において必要とされるＥ−ＴＦＣサイズを決定することによって、各搬送波においてＥ−ＴＦＣを選択する。
【０１３４】
この方法は、基準電力比と基準Ｅ−ＴＦＣの間のマッピングが搬送波の間で同じであるならば、またすべてのデータが同じＨＡＲＱオフセットを有する論理チャネルに属するならば、各搬送波において等しい電力比をもたらす。データが、必ずしもすべてが同じＨＡＲＱオフセットを有さない論理チャネルに属する場合、ＷＴＲＵは、バイトのどの共有が、両方のＥ−ＴＦＣについて同じ電力比をもたらすかを見出さなければならない。
【０１３５】
デュアルキャリア電力バックオフ、およびマルチキャリア動作のための最大電力制約についての実施形態が、これ以降で開示される。ＷＴＲＵ電力増幅器設計および電力消費を軽減するため、ＷＴＲＵは一般に、一定のＭＰＲ（最大電力低減）を許容される。この電力低減余裕は、電力増幅器の非線形性によって意図しない隣接搬送波干渉を引き起こすことを回避するため、ＷＴＲＵ実施が、最大送信電力を低減すること（これは電力バックオフとも呼ばれる）を可能にする。
【０１３６】
一実施形態によれば、電力バックオフは、１つではなく２つのアップリンク搬送波上で送信を行う場合に、適用することができる。ＷＴＲＵは、本明細書で説明される実施形態のいずれかに従って、両方の搬送波上で送信されるデータの量を決定し、データが２つの搬送波上で送信される場合、電力バックオフ（すなわち、合計の送信電力または搬送波毎の送信電力の低減）を適用することができる。その場合、電力バックオフの適用は、各搬送波におけるより小さなＥ−ＴＦＣＩの使用をもたらす。ＷＴＲＵは、より多くのデータを送信できるようにするのに、電力バックオフを用いずに単一の搬送波を使用するか、それとも電力バックオフを用いて２つの搬送波を使用するかを決定することができ、最も多い合計ビット数の送信を可能にする選択肢を選択することができる。
【０１３７】
ＳＩ（スケジューリング情報）は、それが各搬送波についてのＵＬ電力ヘッドルーム測定を個別に提供するように、変更することができる。より具体的には、ＳＩのフォーマットは、図１１に示されるように、補助搬送波のためのＵＰＨを含むように拡張することができ、ＵＰＨ１およびＵＰＨ２は、最大ＷＴＲＵ送信電力と対応するアンカーＤＰＣＣＨ符号電力の比、および最大ＷＴＲＵ送信電力と対応する補助ＤＰＣＣＨ符号電力の比にそれぞれ対応する。
【０１３８】
あるいは、ＷＴＲＵは、１つのＵＰＨ測定を報告することができ、ノードＢは、搬送波間のノイズ発生差に基づいて、他方の搬送波のＵＰＨを推測することができる。
【０１３９】
あるいは、単一のＵＰＨを以下のように計算し、報告することができ、
【０１４０】
【数１】
0006035366.tif 000003
ここで、Ｐmax,txは、ＷＴＲＵによって送信できる合計の最大出力電力であり、ＰDPCCH1およびＰDPCCH2は、それぞれ搬送波１および搬送波２のＤＰＣＣＨ上での送信符号電力を表す。搬送波毎の最大送信電力が設定される場合、Ｐmax,txは、搬送波毎の最大送信電力の和を表す。
【０１４１】
あるいは、スケジューリング情報フォーマットは、変更されないままであるが、ＷＴＲＵは、各搬送波において個別にＳＩを報告することができる。例えば、ＳＩがアンカー搬送波上で送信される場合、ＳＩは、アンカー搬送波のＵＰＨを報告し、ＳＩが補助搬送波上で送信される場合、ＳＩは、補助搬送波のＵＰＨを報告する。
【０１４２】
（実施形態）
１．複数のアップリンク搬送波および複数のダウンリンク搬送波を使用するワイヤレス通信のための方法。
【０１４３】
２．ＷＴＲＵが、ダウンリンク搬送波のうちの少なくとも１つを介して、制御情報を受信するステップを含む実施形態１に記載の方法。
【０１４４】
３．ＷＴＲＵが、複数のアップリンク搬送波を介して、データまたは制御情報のうちの少なくとも一方を送信するステップを含む実施形態２に記載の方法。
【０１４５】
４．ＷＴＲＵは、プライマリアップリンク搬送波を介して、第１のデータチャネル、第１のパイロットチャネル、および両方のアップリンク搬送波上で送信されるアップリンク送信のための第１の制御チャネルを送信し、セカンダリアップリンク搬送波を介して、第２のデータチャネルおよび第２のパイロットチャネルを送信する、実施形態２〜３のいずれかに記載の方法。
【０１４６】
５．ＷＴＲＵは、プライマリアップリンク搬送波を介して、第１のデータチャネル、第１のパイロットチャネル、およびプライマリアップリンク搬送波上で送信されるアップリンク送信のための第１の制御チャネルを送信し、セカンダリアップリンク搬送波を介して、第２のデータチャネル、第２のパイロットチャネル、およびセカンダリアップリンク搬送波上で送信されるアップリンク送信のための第２の制御チャネルを送信する、実施形態２〜３のいずれかに記載の方法。
【０１４７】
６．ＷＴＲＵは、プライマリ搬送波を介して、ダウンリンク送信に関連するアップリンクフィードバック情報を提供するための第３の制御チャネルを送信する、実施形態５に記載の方法。
【０１４８】
７．第３の制御チャネルは、複数のダウンリンク搬送波に関するフィードバックを搬送する、実施形態６に記載の方法。
【０１４９】
８．第１のデータチャネルおよび第２のデータチャネルは、Ｅ−ＤＰＤＣＨを含み、第１のパイロットチャネルおよび第２のパイロットチャネルは、ＤＰＣＣＨを含み、第１の制御チャネルおよび第２の制御チャネルは、Ｅ−ＤＰＣＣＨを含む、実施形態４〜７のいずれかに記載の方法。
【０１５０】
９．第３の制御チャネルは、ＨＳ−ＤＰＣＣＨを含む、実施形態６〜８のいずれかに記載の方法。
【０１５１】
１０．ＷＴＲＵは、アップリンク搬送波毎に独立のアクティブセットを維持し、アクティブセットは、アップリンクにおいてＷＴＲＵがそれを介して通信を行う１組の無線リンクを含む、実施形態２〜９のいずれかに記載の方法。
【０１５２】
１１．ＷＴＲＵが、ダウンリンク搬送波上で受信した制御情報を、ＷＴＲＵがその制御情報を受信したダウンリンク搬送波に関連付けられたアップリンク搬送波上でのアップリンク送信に適用するように、各アップリンク搬送波は、少なくとも１つの特定のダウンリンク搬送波に関連付けられる、実施形態３〜１０のいずれかに記載の方法。
【０１５３】
１２．少なくとも１つのＥ−ＲＮＴＩは、アップリンク搬送波毎に設定され、ＷＴＲＵは、受信した絶対グラントを、関連するアップリンク搬送波上でのＥ−ＤＣＨ送信に適用する、実施形態３〜１１のいずれかに記載の方法。
【０１５４】
１３．少なくとも１つのＥ−ＡＧＣＨは、各アップリンク搬送波に関連付けられ、ＷＴＲＵは、受信した絶対グラントを、絶対グラントが受信されたＥ−ＡＧＣＨと関連付けられたアップリンク搬送波上でのＥ−ＤＣＨ送信に適用する、実施形態３〜１２のいずれかに記載の方法。
【０１５５】
１４．Ｅ−ＲＧＣＨとＥ−ＨＩＣＨの１組は、各アップリンク搬送波に関連付けられ、ＷＴＲＵは、受信した相対グラントおよびＨＡＲＱフィードバックを、関連付けられたアップリンク搬送波上でのＥ−ＤＣＨ送信に適用する、実施形態３〜１３のいずれかに記載の方法。
【０１５６】
１５．ＷＴＲＵが、各ＴＰＣコマンドが特定のアップリンク搬送波に対する送信電力制御用であることが意図された、複数のＴＰＣコマンドを受信するステップをさらに含む実施形態３〜１４のいずれかに記載の方法。
【０１５７】
１６．ＷＴＲＵが、対応するＴＰＣコマンドに基づいて、アップリンク搬送波における送信電力を調整するステップを含む実施形態１５に記載の方法。
【０１５８】
１７．アップリンク搬送波のためのＴＰＣコマンドは、そのアップリンク搬送波に関連付けられたダウンリンク搬送波を介して受信される、実施形態１５〜１６のいずれかに記載の方法。
【０１５９】
１８．ＷＴＲＵが、独立のＴＰＣコマンドを、アップリンク搬送波の各々のアップリンクＤＰＣＣＨ上で送信するステップであって、ＴＰＣコマンドは、対応するダウンリンク搬送波から独立に測定された信号品質に基づいて導出される、ステップをさらに含む実施形態１５〜１７のいずれかに記載の方法。
【０１６０】
１９．複数のアップリンク搬送波および複数のダウンリンク搬送波を使用するワイヤレス送信のためのＷＴＲＵ。
【０１６１】
２０．複数のアップリンク搬送波を介して送信するように構成された送信機を備える実施形態１９に記載のＷＴＲＵ。
【０１６２】
２１．複数のダウンリンク搬送波を介して受信するように構成された受信機を備える実施形態１９〜２０のいずれかに記載のＷＴＲＵ。
【０１６３】
２２．ダウンリンク搬送波のうちの少なくとも１つを介して制御情報を受信し、複数のアップリンク搬送波を介してデータまたは制御情報のうちの少なくとも一方を送信するように構成されたプロセッサを備える実施形態２１に記載のＷＴＲＵ。
【０１６４】
２３．プロセッサは、プライマリアップリンク搬送波を介して、第１のデータチャネル、第１のパイロットチャネル、および両方のアップリンク搬送波上でのアップリンク送信のための第１の制御チャネルを送信し、セカンダリアップリンク搬送波を介して、第２のデータチャネルおよび第２のパイロットチャネルを送信するように構成される、実施形態２２に記載のＷＴＲＵ。
【０１６５】
２４．プロセッサは、プライマリアップリンク搬送波を介して、第１のデータチャネル、第１のパイロットチャネル、およびプライマリアップリンク搬送波上で送信されるアップリンク送信のための第１の制御チャネルを送信し、セカンダリアップリンク搬送波を介して、第２のデータチャネル、第２のパイロットチャネル、およびセカンダリアップリンク搬送波上で送信されるアップリンク送信のための第２の制御チャネルを送信するように構成される、実施形態２２〜２３のいずれかに記載のＷＴＲＵ。
【０１６６】
２５．プロセッサは、プライマリ搬送波を介して、ダウンリンク送信に関連するアップリンクフィードバック情報を提供するための第３の制御チャネルを送信するように構成される、実施形態２３〜２４のいずれかに記載のＷＴＲＵ。
【０１６７】
２６．第３の制御チャネルは、複数のダウンリンク搬送波に関するフィードバックを搬送する、実施形態２５に記載のＷＴＲＵ。
【０１６８】
２７．第１のデータチャネルおよび第２のデータチャネルは、Ｅ−ＤＰＤＣＨを含み、第１のパイロットチャネルおよび第２のパイロットチャネルは、ＤＰＣＣＨを含み、第１の制御チャネルおよび第２の制御チャネルは、Ｅ−ＤＰＣＣＨを含む、実施形態２３〜２６のいずれかに記載のＷＴＲＵ。
【０１６９】
２８．第３の制御チャネルは、ＨＳ−ＤＰＣＣＨを含む、実施形態２５に記載のＷＴＲＵ。
【０１７０】
２９．プロセッサは、アップリンク搬送波毎に独立のアクティブセットを維持するように構成され、アクティブセットは、アップリンクにおいてＷＴＲＵがそれを介して通信を行う１組の無線リンクを含む、実施形態２０〜２８のいずれかに記載のＷＴＲＵ。
【０１７１】
３０．各アップリンク搬送波は、少なくとも１つの特定のダウンリンク搬送波に関連付けられ、プロセッサは、ダウンリンク搬送波上で受信した制御情報を、プロセッサがその制御情報を受信したダウンリンク搬送波に関連付けられたアップリンク搬送波上でのアップリンク送信に適用するように構成される、実施形態２２〜２９のいずれかに記載のＷＴＲＵ。
【０１７２】
３１．少なくとも１つのＥ−ＲＮＴＩは、アップリンク搬送波毎に設定され、プロセッサは、受信した絶対グラントを、関連するアップリンク搬送波上でのＥ−ＤＣＨ送信に適用するように構成される、実施形態２２〜３０のいずれかに記載のＷＴＲＵ。
【０１７３】
３２．少なくとも１つのＥ−ＡＧＣＨは、各アップリンク搬送波に関連付けられ、プロセッサは、受信した絶対グラントを、絶対グラントが受信されたＥ−ＡＧＣＨと関連付けられたアップリンク搬送波上でのＥ−ＤＣＨ送信に適用するように構成される、実施形態２２〜３１のいずれかに記載のＷＴＲＵ。
【０１７４】
３３．Ｅ−ＲＧＣＨとＥ−ＨＩＣＨの１組は、各アップリンク搬送波に関連付けられ、プロセッサは、受信した相対グラントおよびＨＡＲＱフィードバックを、関連付けられたアップリンク搬送波上でのＥ−ＤＣＨ送信に適用するように構成される、実施形態２２〜３２のいずれかに記載のＷＴＲＵ。
【０１７５】
３４．プロセッサは、各ＴＰＣコマンドが特定のアップリンク搬送波に対する送信電力制御用であることが意図された、複数のＴＰＣコマンドを受信し、対応するＴＰＣコマンドに基づいて、アップリンク搬送波における送信電力を調整するように構成される、実施形態２２〜３３のいずれかに記載のＷＴＲＵ。
【０１７６】
３５．アップリンク搬送波のためのＴＰＣコマンドは、そのアップリンク搬送波に関連付けられたダウンリンク搬送波を介して受信される、実施形態３４に記載のＷＴＲＵ。
【０１７７】
３６．プロセッサは、対応するダウンリンク搬送波から独立に測定された信号品質に基づいて導出される独立のＴＰＣコマンドを、アップリンク搬送波の各々のアップリンクＤＰＣＣＨ上で送信するように構成される、実施形態２２〜３５のいずれかに記載のＷＴＲＵ。
【０１７８】
上では機能および要素が特定の組合せで説明されたが、各機能または要素は、他の機能および要素を伴わずに単独で、または他の機能および要素を伴ってもしくは伴わずに様々な組合せで使用することができる。本明細書で提供された方法およびフローチャートは、汎用コンピュータまたはプロセッサによって実行するための、コンピュータ可読記憶媒体内に含まれるコンピュータプログラム、ソフトウェア、またはファームウェアで実施することができる。コンピュータ可読記憶媒体の例は、ＲＯＭ（リードオンリメモリ）、ＲＡＭ（ランダムアクセスメモリ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびＤＶＤ（デジタル多用途ディスク）などの光媒体を含む。
【０１７９】
適切なプロセッサは、例えば、汎用プロセッサ、専用プロセッサ、従来型プロセッサ、ＤＳＰ（デジタル信号プロセッサ）、複数のマイクロプロセッサ、ＤＳＰコアと連携する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、および／または状態機械を含む。
【０１８０】
ソフトウェアと連携するプロセッサは、ＷＴＲＵ（ワイヤレス送受信ユニット）、ＵＥ（ユーザ機器）、端末、基地局、ＲＮＣ（無線ネットワークコントローラ）、または任意のホストコンピュータで使用するための、無線周波数トランシーバを実施するために使用することができる。ＷＴＲＵは、カメラ、ビデオカメラモジュール、テレビ電話、スピーカフォン、バイブレーションデバイス、スピーカ、マイクロフォン、テレビトランシーバ、ハンズフリーヘッドセット、キーボード、Ｂｌｕｅｔｏｏｔｈ（登録商標）モジュール、ＦＭ（周波数変調）ラジオユニット、ＬＣＤ（液晶表示）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意のＷＬＡＮ（ワイヤレスローカルエリアネットワーク）もしくはＵＷＢ（超広帯域）モジュールなど、ハードウェアおよび／またはソフトウェアで実施されるモジュールと併せて使用することができる。
【図１】
0006035366.tif 000004
【図２】
0006035366.tif 000005
【図３】
0006035366.tif 000006
【図４】
0006035366.tif 000007
【図５】
0006035366.tif 000008
【図６】
0006035366.tif 000009
【図７】
0006035366.tif 000010
【図８】
0006035366.tif 000011
【図９】
0006035366.tif 000012
【図１０】
0006035366.tif 000013
【図１１】
0006035366.tif 000014